(57)【要約】  音質を向上できるスピーカ装置を提供する。スピーカ装置は、スピーカ筐体と、スピーカ筐体の第一壁部に設けられた第一スピーカユニットと、スピーカ筐体の内部と外部とを連通する音響管と、を備える。音響管は、所定の長さを有し、スピーカ筐体内にらせん状に曲げられて収められる。
2017038016.tif 000002
【特許請求の範囲】
【請求項１】
スピーカ筐体と、
前記スピーカ筐体の第一壁部に設けられた第一スピーカユニットと、
前記スピーカ筐体の内部と外部とを連通する音響管と、
を備え、
前記音響管は、所定の長さを有し、前記スピーカ筐体内にらせん状に曲げられて収められる、
スピーカ装置。
【請求項２】
前記第一壁部に対向する前記スピーカ筐体の第二壁部に設けられた第二スピーカユニットをさらに備える、
請求項１に記載のスピーカ装置。
【請求項３】
前記音響管は、互いに反対向きに配置された前記第一スピーカユニットと前記第二スピーカユニットとの間に配置される、
請求項２に記載のスピーカ装置。
【請求項４】
前記第一スピーカユニットおよび前記第二スピーカユニットの少なくとも一方の少なくとも一部が、前記音響管のらせんの内側に配置される、
請求項３に記載のスピーカ装置。
【請求項５】
前記音響管は、前記第一壁部に対向する前記スピーカ筐体の第二壁部と前記第一壁部との間に形成された前記スピーカ筐体の側壁部に近接するように、らせん状に延伸する、
請求項１に記載のスピーカ装置。
【請求項６】
前記スピーカ筐体の外部の、前記第一スピーカユニットに対向する位置に設けられ、前記第一スピーカユニットから出力される音を所定の方向に拡散するディフューザ体をさらに備える、
請求項１に記載のスピーカ装置。
【請求項７】
前記所定の方向は、前記第一壁部が前記スピーカ筐体の上部または下部に位置するように前記スピーカ装置が設置されたとき、前記スピーカ装置を中心とした水平方向に３６０度にわたる方向である、
請求項６に記載のスピーカ装置。
【請求項８】
前記音響管の前記所定の長さは、前記スピーカ筐体内の気体の共振により前記音響管内の気体の速度が最大になるときの前記スピーカユニットの周波数が、所定の周波数よりも低くなるように、設定される、
請求項１に記載のスピーカ装置。
【請求項９】
前記スピーカ筐体内の気体の共振周波数および前記共振周波数近傍の周波数帯域に前記スピーカユニットの周波数があるときの前記スピーカユニットの音圧を高めるように、前記スピーカユニットを制御するブースト制御部をさらに備える、
請求項１に記載のスピーカ装置。
【発明の詳細な説明】
【技術分野】
【０００１】
本開示は、スピーカ装置に関する。
【背景技術】
【０００２】
特許文献１は、バスレフ型のスピーカ装置を開示する。特許文献１に開示されるスピーカ装置は、エンクロージャーと、スピーカユニットと、ダクトとを、備えている。スピーカユニットは、エンクロージャー内部に配置されてエンクロージャーに取り付けられる。ダクトは、エンクロージャー内部に配置されてエンクロージャー内部とエンクロージャー外部とを通気する。このスピーカ装置では、スピーカユニットが所定の低域周波数で振動した場合にダクト内の空気が共振する。これにより、このスピーカ装置では、低域の音声出力が増強される。
【先行技術文献】
【特許文献】
【０００３】
【特許文献１】特開２０１４−０４９９９９号公報
【発明の概要】
【０００４】
本開示は、音質を向上できるスピーカ装置を提供する。
【０００５】
本開示におけるスピーカ装置は、スピーカ筐体と、スピーカ筐体の第一壁部に設けられた第一スピーカユニットと、スピーカ筐体の内部と外部とを連通する音響管と、を備える。音響管は、所定の長さを有し、スピーカ筐体内にらせん状に曲げられて収められている。
【０００６】
本開示におけるスピーカ装置は、音質を向上できる。
【図面の簡単な説明】
【０００７】
【図１】図１は、実施の形態１におけるスピーカ装置を備えた音響システムの一構成例を模式的に示す図である。
【図２】図２は、実施の形態１におけるスピーカ装置の一構成例を模式的に示す斜視図である。
【図３】図３は、実施の形態１におけるスピーカ装置の一構成例を模式的に示す斜視図である。
【図４】図４は、実施の形態１におけるスピーカ装置の一構成例を模式的に示す斜視図である。
【図５】図５は、実施の形態１におけるスピーカ装置の内部構造の一例を模式的に示す斜視図である。
【図６】図６は、実施の形態１におけるスピーカ装置の内部構造の一例を模式的に示す斜視図である。
【図７】図７は、実施の形態１におけるスピーカ装置の内部構造の一例を模式的に示す斜視図である。
【図８】図８は、実施の形態１におけるスピーカ装置の内部構造の一例を模式的に示す側面図である。
【図９】図９は、実施の形態１におけるスピーカ装置の音響管の一構成例を模式的に示す斜視図である。
【図１０】図１０は、実施の形態１におけるスピーカ装置が備える台座部およびその周辺の一構成例を模式的に示す側面図である。
【図１１】図１１は、実施の形態１におけるスピーカ装置が備えるツイータ部の一構成例を模式的に示す斜視図である。
【図１２】図１２は、実施の形態１におけるスピーカ装置が備えるツイータ部の一構成例を模式的に示す上面図である。
【図１３】図１３は、実施の形態１におけるスピーカ装置が備えるウーハ部の音圧と周波数との関係の一例を模式的に示す図である。
【図１４】図１４は、実施の形態１におけるスピーカ装置が備えるウーハスピーカユニットの振動板の振幅と周波数との関係の一例を模式的に示す図である。
【図１５】図１５は、実施の形態１におけるスピーカ装置が備えるウーハスピーカユニットのインピーダンスと周波数との関係の一例を模式的に示す図である。
【図１６】図１６は、実施の形態１におけるスピーカ装置が備えるウーハスピーカユニットのブースト制御に係る構成要素の一構成例を示すブロック図である。
【発明を実施するための形態】
【０００８】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することは意図されていない。
【００１０】
また、各図は、模式図であり、必ずしも厳密に図示されたものではない。また、各図において、実質的に同じ構成要素については同じ符号を付し、説明を省略または簡略化する場合がある。
【００１１】
（実施の形態１）
以下、図１〜図１５を参照しつつ、実施の形態１におけるスピーカ装置と、そのスピーカ装置を備える音響システムと、について説明する。
【００１２】
［１−１．音響システムの全体構成］
図１は、実施の形態１におけるスピーカ装置１を備えた音響システム１００の一構成例を模式的に示す図である。図１には、音響システム１００を正面側から見た斜視図を示す。なお、本実施の形態では、音楽プレーヤ１０１の操作部１１０が設けられた側を正面とする。
【００１３】
音響システム１００は、１つの音楽プレーヤ１０１と、２つのスピーカ装置１と、を備える。なお、音楽プレーヤ１０１およびスピーカ装置１の数量は、上記数値に限定されない。音響システム１００が備える音楽プレーヤ１０１は２以上でもよい。また、音響システム１００が備えるスピーカ装置１は、１つでもよく、３以上でもよい。
【００１４】
スピーカ装置１は、音楽プレーヤ１０１に接続されており、音楽プレーヤ１０１から出力される音声信号（ａｕｄｉｏ  ｓｉｇｎａｌ）を音声（ｓｏｕｎｄ）に変換して出力（以下、単に「再生」ともいう）することができる。
【００１５】
音楽プレーヤ１０１は、様々な外部機器や音楽ソースから出力される信号を、スピーカ装置１が再生可能な音声信号に変換して出力することができるように構成されている。例えば、音楽プレーヤ１０１は、ＵＳＢ（ＵＮＩＶＥＲＳＡＬ  Ｓｅｒｉａｌ  Ｂｕｓ）の接続端子を介して有線接続された外部機器、またはＷｉ−Ｆｉ（登録商標）やＢｌｕｅｔооｔｈ（登録商標）等で無線接続された外部機器、等から音声に関する信号を受け取って音声信号を出力するように構成されてもよく、あるいは、音楽プレーヤ１０１が備えるＣＤ（Ｃｏｍｐａｃｔ  Ｄｉｓｃ）プレーヤまたはラジオ等の音楽ソースから音声に関する信号を受け取って音声信号を出力するように構成されてもよい。
【００１６】
［１−２．スピーカ装置の構成］
次に、図２〜図１２を参照して、実施の形態１におけるスピーカ装置１の構成を説明する。
【００１７】
図２は、実施の形態１におけるスピーカ装置１の一構成例を模式的に示す斜視図である。図２は、図１に示したスピーカ装置１を正面斜め方向から見た斜視図である。
【００１８】
図２に示すように、スピーカ装置１は、上下方向（Ｚ軸方向）に縦長の直方体形状を有している。スピーカ装置１は、底面１ｆに設けられた複数の脚部１ｇによって、載置面（図示せず）上に支持されるように構成されている。なお、本実施の形態では、スピーカ装置１が４つの脚部１ｇを備える構成例を示すが、スピーカ装置１が備える脚部１ｇの数は４つに限定されない。
【００１９】
スピーカ装置１における底面１ｆに対向する頂面１ｅは、天板３によって構成されている。天板３は、スピーカ装置１の意匠も構成している。
【００２０】
スピーカ装置１は、頂面１ｅおよび底面１ｆと、頂面１ｅおよび底面１ｆに隣り合う側面１ａ、側面１ｂ、側面１ｃおよび側面１ｄと、を備える。スピーカ装置１において、３つの側面１ａ、側面１ｂおよび側面１ｃは、外装ネット２によって構成されている。外装ネット２は、スピーカ装置１の意匠も構成している。直方体の４つの側面を形成する側面１ａ、側面１ｂ、側面１ｃおよび側面１ｄは、直角四角筒を形成している。
【００２１】
なお、本実施の形態では、便宜的に、Ｘ軸、Ｙ軸、Ｚ軸の３軸を用いて説明を行う。以下、底面１ｆから頂面１ｅに向かう方向をＺ軸正方向とする。また、前面である側面１ａ（以下、「前面１ａ」とも呼ぶ）から背面である側面１ｄ（以下、「背面１ｄ」とも呼ぶ）に向かう方向をＹ軸正方向とする。また、側面１ｂから側面１ｃに向かう方向をＸ軸正方向とする。
【００２２】
図３、図４は、実施の形態１におけるスピーカ装置１の一構成例を模式的に示す斜視図である。図３は、図２のスピーカ装置１から外装ネット２が除かれた態様を示す斜視図であり、図４は、図３のスピーカ装置１を背面斜め方向から見た斜視図である。
【００２３】
図５、図６、図７は、実施の形態１におけるスピーカ装置１の内部構造の一例を模式的に示す斜視図である。図５は、図３に示したスピーカ装置１の一部を切断して内部構造を示した部分断面図である。図６は、図３に示したスピーカ装置１から天板３とスピーカ筐体３１の側壁３１ａおよび側壁３１ｃとを除いた態様を示す斜視図である。図７は、図４に示したスピーカ装置１から天板３とスピーカ筐体３１の側壁３１ｃおよび側壁３１ｄとを除いた態様を示す斜視図である。
【００２４】
図３〜図７を参照しながら以下を説明する。スピーカ装置１は、ツイータ部１０、上側ディフューザ部２０、ウーハスピーカ部３０、下側ディフューザ部４０、および台座部５０、を備えている。ツイータ部１０は、頂面１ｅと上側ディフューザ部２０との間に配置され、複数のツイータユニット１２を備える。上側ディフューザ部２０、ウーハスピーカ部３０および下側ディフューザ部４０は、スピーカ装置１において、ウーハ部６０を構成する。ウーハ部６０は、スピーカ装置１において、中低音の再生を担当するように構成されている。ツイータ部１０は、スピーカ装置１において、中高音の再生を担当するように構成されている。
【００２５】
ツイータ部１０には、略直方体状の輪郭を有するツイータフレーム１１が設けられている。ツイータフレーム１１は、略正方形の枠状の上縁部１１ａと、４つの互いに離れた支柱部１１ｂと、矩形板状の背面壁部１１ｃと、を一体成形によって含む。４つの支柱部１１ｂは、上縁部１１ａの４つの角部のそれぞれから、上側ディフューザ部２０に向かってＺ軸方向に沿って延伸して設けられている。背面壁部１１ｃは、背面１ｄ側において互いに隣り合う２つの支柱部１１ｂの間に延伸して設けられている。背面壁部１１ｃは、背面１ｄ側の２つの支柱部１１ｂの間を閉鎖する。上縁部１１ａは、天板３が上縁部１１ａの内周側に整合して嵌るような形状を有している。
【００２６】
ツイータ部１０において、ツイータフレーム１１の内側には、高音を再生可能なスピーカである３つのツイータユニット１２が設けられている。３つのツイータユニット１２は、それぞれが、スピーカ装置１の前面１ａ、側面１ｂおよび側面１ｃに向けて音を放射状に放出するように、配置されている。すなわち、３つのツイータユニット１２は、それぞれの向きが、ＸＹ平面に実質的に平行な面上（スピーカ装置１が水平面に平行な載置面に載置されている場合は、水平方向）において互いに実質的に直交するように、配置されている。
【００２７】
ツイータユニット１２は、所定の高音域の周波数帯域の音を好適に再生可能な周波数特性を有するように、構成されている。所定の高音域の周波数帯域は、例えば、１ｋＨｚから１００ｋＨｚ近傍までの範囲、または、２ｋＨｚから１００ｋＨｚを超える周波数までの範囲、等である。
【００２８】
さらに、ツイータ部１０において、各ツイータユニット１２には、指向性制御ホーン１３が取り付けられている。指向性制御ホーン１３は、ラッパ状の形状を有し、ツイータユニット１２による再生音を指向するように構成されている。複数の指向性制御ホーン１３は、それぞれが１つのツイータユニット１２から延び、ツイータユニット１２による再生音の放出方向である前面１ａ、または側面１ｂ、または側面１ｃに向かう方向にそれぞれの向きが設定されている。そして、指向性制御ホーン１３は、ツイータフレーム１１の支柱部１１ｂ間で開口している。指向性制御ホーン１３は、ツイータフレーム１１の内側に配置され、ツイータフレーム１１に固定されている。言い換えると、３つの指向性制御ホーン１３のそれぞれは、１つは前面１ａに向かって放射状に音を放出するように配置され、他の一つは側面１ｂに向かって放射状に音を放出するように配置され、残りの一つは側面１ｃに向かって放射状に音を放出するように配置されている。
【００２９】
ウーハスピーカ部３０には、Ｚ軸方向を長手方向とした直方体状のスピーカ筐体３１が設けられている。スピーカ筐体３１は、中空構造であり、内部に内部空間３４を有している。ウーハスピーカ部３０は、上側ウーハスピーカユニット３２および下側ウーハスピーカユニット３３を有する。また、スピーカ筐体３１には、上壁３１ｅおよび下壁３１ｆが互いに平行に配置されている。上壁３１ｅは上側ディフューザ部２０へ向いた壁部であり、下壁３１ｆは下側ディフューザ部４０へ向いた壁部である。そして、上側ウーハスピーカユニット３２は、上壁３１ｅに形成された開口に、出音方向が上側ディフューザ部２０へ向くように埋め込まれている。下側ウーハスピーカユニット３３は、下壁３１ｆに形成された開口に、出音方向が下側ディフューザ部４０へ向くように埋め込まれている。
【００３０】
上側ウーハスピーカユニット３２および下側ウーハスピーカユニット３３は、所定の中低音域の周波数帯域の音を好適に再生可能である周波数特性を有するように、構成されている。この所定の中低音域の周波数帯域は、例えば、３５Ｈｚから５０００Ｈｚまでの範囲である。なお、上壁３１ｅおよび下壁３１ｆの一方は、スピーカ筐体の第一壁部の一例であり、上壁３１ｅおよび下壁３１ｆの他方は、スピーカ筐体の第二壁部の一例である。
【００３１】
上述したように、上側ウーハスピーカユニット３２は上側ディフューザ部２０に向かって音を放出するように設置方向が設定されており、下側ウーハスピーカユニット３３は下側ディフューザ部４０に向かって音を放出するように設置方向が設定されている。ウーハスピーカ部３０に、上側ウーハスピーカユニット３２および下側ウーハスピーカユニット３３を設けることによって、上側ウーハスピーカユニット３２および下側ウーハスピーカユニット３３のそれぞれが、例えば直径８ｃｍ程度の比較的小口径の振動板３２ａまたは振動板３３ａ（図５を参照）を有するものであっても、ウーハスピーカ部３０では、相対的に大きな音圧を得ることができる。
【００３２】
さらに、上側ウーハスピーカユニット３２をスピーカ筐体３１の上壁３１ｅに設け、下側ウーハスピーカユニット３３をスピーカ筐体３１の下壁３１ｆに設けることによって、ＸＹ平面におけるスピーカ筐体３１の小型化が可能になり、スピーカ装置１の設置面積の低減が可能になる。なお、上側ウーハスピーカユニット３２および下側ウーハスピーカユニット３３の一方は、第一スピーカユニットの一例であり、上側ウーハスピーカユニット３２および下側ウーハスピーカユニット３３の他方は、第二スピーカユニットの一例である。
【００３３】
上側ディフューザ部２０には、略直方体状の輪郭を有する上側フレーム２１が設けられている。上側フレーム２１は、４つの支柱部２１ａと、略正方形の板状の支持プレート部２１ｂと、を含む。４つの支柱部２１ａのそれぞれは、互いに離れて配置され、Ｚ軸方向に沿って延伸するように形成されている。支持プレート部２１ｂは、４つの支柱部２１ａと一体に成形されている。４つの支柱部２１ａは、スピーカ筐体３１の正方形状の上壁３１ｅの４つの角部の位置、およびツイータフレーム１１の４つの支柱部１１ｂの位置に、それぞれ配置されている。支持プレート部２１ｂは、上壁３１ｅ上に沿って延伸して形成されている。上側ウーハスピーカユニット３２は、支持プレート部２１ｂに形成された開口を通って配置され、上側ウーハスピーカユニット３２の振動板３２ａを上側フレーム２１内に露出する。支持プレート部２１ｂがスピーカ筐体３１の上壁３１ｅに固定され、支柱部２１ａがツイータフレーム１１に固定されることによって、上側フレーム２１は、ツイータ部１０とウーハスピーカ部３０とを連結する。
【００３４】
さらに、上側ディフューザ部２０には、ディフューザ体２２が、上側フレーム２１内に設けられている。ディフューザ体２２は、円錐状に突出する拡散部２２ａを含んでいる。ディフューザ体２２は、ツイータフレーム１１に隣接して配置され、上側フレーム２１の支柱部２１ａに固定されている。拡散部２２ａは、円錐の先端が丸められた外形を有し、かつ、先端の反対側が開放した中空構造を有している。拡散部２２ａは、拡散部２２ａの先端が、上側ウーハスピーカユニット３２に向かって突出しかつ上側ウーハスピーカユニット３２の振動板３２ａの中心と向き合う位置に配置されるように、配置されている。したがって、拡散部２２ａは、上側ウーハスピーカユニット３２が再生する音を、スピーカ装置１の周囲に、ＸＹ平面に沿う方向に略均等に拡散する。例えばスピーカ装置１が水平面に平行な載置面に載置されているとき、拡散部２２ａは、上側ウーハスピーカユニット３２が再生する音を、水平方向に、３６０度にわたって実質的に無指向に拡散する。
【００３５】
図１０は、実施の形態１におけるスピーカ装置１が備える台座部５０およびその周辺の一構成例を模式的に示す側面図である。なお、図５に示すように台座部５０にはディフューザ体４２が取り付けられているが、図１０には、ディフューザ体４２を取り外した台座部５０を示す。
【００３６】
台座部５０には、正方形状の平面形状を有しかつＺ軸方向に扁平になった箱状の台座筐体５１が設けられている。台座筐体５１の底部には、複数の脚部１ｇと、接続プラグ（図示せず）と、が設けられている。接続プラグは、図１に示す音楽プレーヤ１０１とスピーカ装置１とを電気的に接続するための接続部である。さらに、図１０に示すように、台座筐体５１の内側には、上側ウーハスピーカユニット３２および下側ウーハスピーカユニット３３の動作を制御する回路が搭載された回路基板５２が設けられている。回路基板５２は、下側ディフューザ部４０内に突出するように配置され、接続プラグに電気的に接続されている。台座筐体５１の内部には、床等の載置面に載置されたスピーカ装置１の安定性を向上させるためのウェイト（図示せず）が設けられていてもよい。
【００３７】
再び、図３〜図７を参照しながら説明を行う。
【００３８】
下側ディフューザ部４０には、略直方体状の輪郭を有する下側フレーム４１が設けられている。下側フレーム４１は、４つの支柱部４１ａと、４つの梁部４１ｂと、を含む。４つの支柱部４１ａのそれぞれは、互いに離れて配置され、Ｚ軸方向に沿って延伸するように形成されている。４つの梁部４１ｂのそれぞれは、隣り合う支柱部４１ａ同士を連結する。４つの支柱部４１ａは、スピーカ筐体３１の正方形状の下壁３１ｆの４つの角部の位置、および台座筐体５１の側方の４つの角部の位置に、それぞれ配置されている。４つの梁部４１ｂは、台座筐体５１側の支柱部４１ａの端部にそれぞれ配置され、台座筐体５１の外縁に沿って延伸する。支柱部４１ａがスピーカ筐体３１の下壁３１ｆおよび台座筐体５１に固定されることによって、下側フレーム４１は、ウーハスピーカ部３０と台座部５０とを連結する。
【００３９】
さらに、下側ディフューザ部４０には、ディフューザ体４２が、下側フレーム４１内に設けられている。ディフューザ体４２は、円錐状に突出する拡散部４２ａを含んでいる。拡散部４２ａは、円錐の先端が丸められた外形を有し、かつ、先端の反対側が開放した中空構造を有している。ディフューザ体４２は、ディフューザ体２２と同様の形状を有している。ディフューザ体４２は、台座筐体５１に隣接して配置され、下側フレーム４１の梁部４１ｂに固定されている。拡散部４２ａは、拡散部４２ａの先端が、下側ウーハスピーカユニット３３に向かって突出しかつ下側ウーハスピーカユニット３３の振動板３３ａの中心と向き合う位置に配置されるように、配置されている。したがって、拡散部４２ａは、下側ウーハスピーカユニット３３が再生する音を、スピーカ装置１の周囲に、ＸＹ平面に沿う方向に略均等に拡散する。例えばスピーカ装置１が水平面に平行な載置面に載置されているとき、拡散部４２ａは、下側ウーハスピーカユニット３３が再生する音を、水平方向に、３６０度にわたって実質的に無指向に拡散する。
【００４０】
さらに、ウーハスピーカ部３０の詳細な構成を、図３〜図５を参照しながら、説明する。
【００４１】
ウーハスピーカ部３０のスピーカ筐体３１は、上壁３１ｅおよび下壁３１ｆに加えて、これらの壁に隣り合う側壁３１ａ、側壁３１ｂ、側壁３１ｃおよび側壁３１ｄを有している。側壁３１ａはスピーカ装置１の前面１ａに位置し、側壁３１ｂは側面１ｂに位置し、側壁３１ｃは側面１ｃに位置し、側壁３１ｄは背面１ｄに位置するように、それぞれが配置されている。
【００４２】
スピーカ筐体３１の内側には、上側ウーハスピーカユニット３２および下側ウーハスピーカユニット３３と、側壁３１ａ〜側壁３１ｄおよび上壁３１ｅ、下壁３１ｆとで囲まれた、閉じた内部空間３４が形成されている。上側ウーハスピーカユニット３２および下側ウーハスピーカユニット３３は、例えば図５に示されるように、それぞれの振動板３２ａおよび振動板３３ａが、内部空間３４とスピーカ筐体３１の外部とのそれぞれに面するように配置されている。さらに、上側ウーハスピーカユニット３２と下側ウーハスピーカユニット３３とは、内部空間３４内でＺ軸方向に互いに離間した位置に配置されている。なお、内部空間３４の容積は、例えば８００立方ｃｍ程度の、スピーカ筐体の容積としては比較的小さいものであってもよい。なお、側壁３１ａ、側壁３１ｂ、側壁３１ｃおよび側壁３１ｄは、それぞれがスピーカ筐体の側壁部の一例である。
【００４３】
背面１ｄに位置する側壁３１ｄ（以下、「背面側の側壁３１ｄ」とも呼ぶ）には、図４に一例を示すように、音響ポート３５が形成されている。音響ポート３５は、円状に開口したバスレフポートである。音響ポート３５は、背面側の側壁３１ｄに嵌め込まれたポート板３５ａが円形に貫通されて形成されている。
【００４４】
以下、図５〜図９を参照しながら説明を行う。
【００４５】
図８は、実施の形態１におけるスピーカ装置１の内部構造の一例を模式的に示す側面図である。図８には、図７に示したスピーカ装置１を、スピーカ筐体３１の側壁３１ａを取り除き、側壁３１ｃ側から見た側面図を示す。
【００４６】
図９は、実施の形態１におけるスピーカ装置１の音響管３６の一構成例を模式的に示す斜視図である。図９には、図７に示したスピーカ装置１の音響管３６を単体で示す。
【００４７】
スピーカ筐体３１の内部空間３４内において、上側ウーハスピーカユニット３２と下側ウーハスピーカユニット３３との間には、円状の管内断面を有する音響管３６が設けられている。音響管３６は、上側ウーハスピーカユニット３２および下側ウーハスピーカユニット３３の周りを周回するようにらせん状に延伸して形成されている。具体的には、音響管３６は、上側ウーハスピーカユニット３２の振動板３２ａを駆動する筒状の振動発生部（磁気回路部とも呼ぶ）３２ｂと、下側ウーハスピーカユニット３３の振動板３３ａを駆動する筒状の振動発生部（磁気回路部）３３ｂとの周りを、周回する形状を有する。なお、振動発生部（磁気回路部）３２ｂおよび振動発生部（磁気回路部）３３ｂのそれぞれの内部には、音声信号に従って振動板３２ａまたは振動板３３ａを振動させるための構造が配置されている。
【００４８】
音響管３６は、例えば、曲がりが滑らかで曲がりの角度が緩くなるようならせん形状で形成されてもよい。さらに、音響管３６は、一様に曲げられて形成されてもよい。さらにまた、音響管３６は、スピーカ筐体３１の側壁３１ａ、側壁３１ｂ、側壁３１ｃおよび側壁３１ｄに接触する程度の、できるだけ大きい外径を有するように形成されてもよい。実施の形態１では、音響管３６は、側壁３１ａ、側壁３１ｂ、側壁３１ｃおよび側壁３１ｄに近接するような大きい外径を有する形状で形成されている。
【００４９】
音響管３６の一方の端部にあるフランジ３６ａは、ポート板３５ａに連結されている（図４、図９参照）。音響管３６は、音響ポート３５と実質的に同じ内径を有し、音響ポート３５に連通する。音響管３６の他方の端部３６ｂは、スピーカ筐体３１の内部空間３４内に開口している。音響管３６および音響ポート３５は、スピーカ筐体３１の外部と内部空間３４とを互いに連通する。さらに、音響管３６の端部３６ｂの開口は、吸音材３７（アコースティックアブソーバ）によって覆われている（図６参照）。吸音材３７は、音を制動・吸収する機能を有するように構成されている。吸音材３７は、例えばポリエステル等の材料から形成することができる。吸音材３７は、音響管３６の長さ（すなわち、ポート長）に起因して発生する共振を制動するように機能する。つまり、吸音材３７は、ポート長に起因する共振を制動する効果を有する。音響管３６は、ポート板３５ａおよび吸音材３７の枠部材を介して、スピーカ筐体３１の背面側の側壁３１ｄに固定される。なお、吸音材３７は必須なものではなく、設けられなくてもよい。
【００５０】
上述のような上側ウーハスピーカユニット３２、下側ウーハスピーカユニット３３、音響ポート３５、音響管３６およびスピーカ筐体３１によって、バスレフ型スピーカが構成される。バスレフ型スピーカであるスピーカ装置１では、内部空間３４が有する空気のバネ性と、音響管３６および音響ポート３５が有する音響質量とが、上側ウーハスピーカユニット３２の振動板３２ａおよび下側ウーハスピーカユニット３３の振動板３３ａの振動を受けて共振することができる。すなわち、スピーカ装置１はバスレフ共振することができる。
【００５１】
共振がない場合、振動板３２ａおよび振動板３３ａの前面へ放射される音と振動板３２ａおよび振動板３３ａの背面へ放射される音とは、本来は逆相である。しかし、スピーカ装置１では、バスレフ共振によって、振動板３２ａおよび振動板３３ａの背面へ放射された音の位相回りが発生する。そのため、バスレフ共振周波数付近において共振する内部空間３４内の空気は、振動板３２ａおよび振動板３３ａからディフューザ体２２およびディフューザ体４２の方向へ放出される空気と合成される。これにより、スピーカ装置１では、音圧を高めることができる。さらに、共振する空気は、振動板３２ａおよび振動板３３ａの振幅を減少させることができる場合もある。なお、バスレフ共振周波数は、バスレフ共振の際の共振周波数である。
【００５２】
バスレフ共振周波数Ｆｂは、以下の式で示される。
Ｆｂ＝（（１／Ｍ・Ｃ）＾（１／２））／２π
（記号＾はべき乗を表す）
なお、Ｍは、音響管３６の音響質量に関連する要素であり、Ｃは、内部空間３４の容積に関連する要素である。バスレフ共振により、振動板３２ａおよび振動板３３ａによる音圧の増加、および、振動板３２ａおよび振動板３３ａの振幅の減少が、効果的に起こり得る。
【００５３】
本実施の形態では、上側ウーハスピーカユニット３２および下側ウーハスピーカユニット３３の重低音域の音圧を増加するために、バスレフ共振周波数は、上側ウーハスピーカユニット３２および下側ウーハスピーカユニット３３が好適に音声を再生可能である周波数帯域以下である重低音域の所定の周波数に設定される。この場合、低いバスレフ共振周波数に対応するように、要素Ｍおよび要素Ｃを大きくする必要がある。なお、上記重低音域の所定の周波数は、例えば、３０Ｈｚから５０Ｈｚまでの範囲、およびその近傍の音の周波数帯域とすることができるが、本開示はこれらの数値に限定されない。
【００５４】
また、本実施の形態では、上述のようなバスレフ共振周波数に対応する要素Ｍおよび要素Ｃの決定を、要素Ｃを相対的に小さくして行っている。具体的には、要素Ｃに関連する内部空間３４の容積を、例えば８００立方ｃｍ程度の比較的小さい容積に予め設定し、要素Ｍを相対的に大きくしている。つまり、本実施の形態では、音響質量が相対的に大きくなるように音響管３６が構成される。そして、音響質量を大きくするために、音響管３６は、内径が相対的に小さく、管長が相対的に長尺であるように構成される。
【００５５】
また、音響管３６内の空気速度である管内速度が上昇することで、ノイズが発生しやすくなる。このため、バスレフ共振により管内速度が最大となるときの周波数が、所定の周波数（例えば、音声および音楽の信号にほとんど含まれない超低音域の周波数）となるように、音響管３６は構成されてもよい。このとき、音響管３６は、管長が相対的に長尺であるように構成される。なお、超低音域とは、例えば、１０Ｈｚから３０Ｈｚまでの範囲およびその近傍の音の周波数帯域とすることができる。
【００５６】
また、上述の説明では、音響管３６の内径は、音響質量を大きくするために、相対的に小さく設定されるとしたが、音響管３６の内径は、長尺な音響管３６の内部を通る空気に与える抵抗を抑えるようにも考慮されて設定される。
【００５７】
上述のような条件に基づき、音響管３６の内径および管長が決定される。例えば、本実施の形態では、内部空間３４の容積を８００立方ｃｍ、バスレフ共振周波数を４０Ｈｚとした場合に、音響管３６を、内径を１６ｍｍ、管長を４５０ｍｍに設定して構成することができる。そして、このような相対的に長尺の音響管３６を、比較的小さい内部空間３４内に収めるために、音響管３６は、曲げられている。
【００５８】
また、上述のような音響管３６および内部空間３４の構成により、バスレフ共振周波数およびその近傍の周波数帯域において、上側ウーハスピーカユニット３２の振動板３２ａおよび下側ウーハスピーカユニット３３の振動板３３ａの振幅は小さく抑えられる。バスレフ共振周波数およびその近傍の周波数帯域において振動板３２ａおよび振動板３３ａの振幅が相対的に小さくなる場合に、上側ウーハスピーカユニット３２および下側ウーハスピーカユニット３３に対して、上記周波数帯域の音圧を電気的に増加させるようなブースト制御を行うことで、再生される音声における歪みを抑えることができる。一方、バスレフ共振周波数およびその近傍の周波数帯域において振動板３２ａおよび振動板３３ａの振幅が相対的に大きい状態で、上側ウーハスピーカユニット３２および下側ウーハスピーカユニット３３に対して上記のブースト制御が行われると、音声が歪みを含むようになる。
【００５９】
さらに、音響管３６および音響ポート３５の形状は、内面の粘性抵抗を低減するように、円形等の滑らかな形状に設定されてもよい。
【００６０】
また、音響管３６の曲がりが相対的に急な場合、内部を流れる空気による摩擦ノイズ（すなわち、風切り音）が、相対的に増大する。このノイズを抑制するために、音響管３６の曲がりは、相対的に滑らかにされてもよく、音響管３６の曲がり角度および曲がり半径は、相対的に大きく設定されてもよい。さらにまた、音響管３６の曲がりは、一様にされてもよい。例えば、本実施の形態に示すように、音響管３６を、スピーカ筐体３１の側壁３１ａ、側壁３１ｂ、側壁３１ｃおよび側壁３１ｄに内接する程度の、できるだけ大きい外径を有し、らせん状に延伸する形状とすることによって、スピーカ装置１は上述した条件を満たすことができる。さらに、音響管３６をらせん状にすることで、音響管３６が内部空間３４内で占める領域を小さくすることもできる。
【００６１】
また、音響管３６は、上側ウーハスピーカユニット３２の振動板３２ａと下側ウーハスピーカユニット３３の振動板３３ａとの間に介在して配置されるため、振動板３２ａの振動波と振動板３３ａの振動波とを拡散させることができ、振動波同士が干渉するのを抑制することができる。これにより、振動板３２ａの振動波と振動板３３ａの振動波とが干渉して定在波が生じるのを低減することができる。なお、定在波は、内部空間３４の空気の共振に影響を及ぼすので抑制されることが望ましい。
【００６２】
図１０に示す回路基板５２に搭載された回路は、上側ウーハスピーカユニット３２および下側ウーハスピーカユニット３３の動作を制御するものであるが、上側ウーハスピーカユニット３２および下側ウーハスピーカユニット３３のそれぞれの動作に電気的にブーストをかける制御を行うこともできる。具体的には、バスレフ共振によって上側ウーハスピーカユニット３２の振動板３２ａおよび下側ウーハスピーカユニット３３の振動板３３ａにおける振幅が低くなる周波数帯域において、回路基板５２に搭載された回路は、上側ウーハスピーカユニット３２および下側ウーハスピーカユニット３３へ供給する信号の電圧を大きくすることによって、振動板３２ａおよび振動板３３ａの音圧を増大させるためのブースト制御を行う。回路基板５２（または、回路基板５２に搭載された回路）は、ブースト制御部の一例である。
【００６３】
上述のような構成を有する上側ディフューザ部２０、ウーハスピーカ部３０および下側ディフューザ部４０を備えたウーハ部６０は、上側ウーハスピーカユニット３２が比較的小口径の振動板３２ａを有し、下側ウーハスピーカユニット３３が比較的小口径の振動板３３ａを有するものであっても、大口径の振動板を有するスピーカと同様に、低音を低歪で再生することができる。
【００６４】
次に、図１１および図１２を参照しながら、ツイータ部１０の詳細な構成を説明する。
【００６５】
図１１は、実施の形態１におけるスピーカ装置１が備えるツイータ部１０の一構成例を模式的に示す斜視図である。なお、図１１は、図６に示したスピーカ装置１のツイータ部１０を、図６とは別の方向から見た斜視図である。
【００６６】
図１２は、実施の形態１におけるスピーカ装置１が備えるツイータ部１０の一構成例を模式的に示す上面図である。なお、図１２は、図１１に示すツイータ部１０を上方から見た上面図であり、指向性制御ホーン１３の上壁１３ｃを除去して示す図である。
【００６７】
ツイータフレーム１１内には、３つのツイータユニット１２と３つの指向性制御ホーン１３とに加えて、ツイータユニット１２を制御するための回路が搭載されたツイータ回路基板１４が設けられている。ツイータ回路基板１４は、図６に示した上側ディフューザ部２０の上側フレーム２１に取り付けられている。ツイータ回路基板１４に搭載された回路は、３つのツイータユニット１２に電気的に接続され、ツイータユニット１２の動作を制御するように構成されている。以下、便宜的に、３つのツイータユニット１２のそれぞれを、第一ツイータユニット１２１、第二ツイータユニット１２２および第三ツイータユニット１２３とも呼ぶ。さらに、第一ツイータユニット１２１、第二ツイータユニット１２２および第三ツイータユニット１２３のそれぞれに取り付けられる３つの指向性制御ホーン１３のそれぞれを、第一指向性制御ホーン１３１、第二指向性制御ホーン１３２および第三指向性制御ホーン１３３とも呼ぶ。
【００６８】
第一ツイータユニット１２１および第一指向性制御ホーン１３１はスピーカ装置１の前面１ａに向かう方向に向きが設定され、第二ツイータユニット１２２および第二指向性制御ホーン１３２はスピーカ装置１の側面１ｂに向かう方向に向きが設定され、第三ツイータユニット１２３および第三指向性制御ホーン１３３はスピーカ装置１の側面１ｃに向かう方向に向きが設定されている。したがって、第一ツイータユニット１２１および第一指向性制御ホーン１３１と、第二ツイータユニット１２２および第二指向性制御ホーン１３２と、第三ツイータユニット１２３および第三指向性制御ホーン１３３とは、それぞれの向きが、ＸＹ平面に実質的に平行な面上（スピーカ装置１が水平面に平行な載置面に載置されている場合は、水平方向）において互いに実質的に直交するように、配置されている。さらに、第二ツイータユニット１２２および第二指向性制御ホーン１３２と、第三ツイータユニット１２３および第三指向性制御ホーン１３３とは、それぞれの向きが互いに実質的に反対方向となるように、配置されている。
【００６９】
第一指向性制御ホーン１３１、第二指向性制御ホーン１３２および第三指向性制御ホーン１３３のそれぞれは、上側ディフューザ部２０（図６参照）側に配置された扇形状の底壁１３ｄと、底壁１３ｄに対向する位置に配置された扇形状の上壁１３ｃと、上壁１３ｃと底壁１３ｄとの間に配置された側壁１３ａおよび側壁１３ｂと、を含む。上壁１３ｃと底壁１３ｄとは、鏡像のような、実質的に対称な形状となっている。側壁１３ａと側壁１３ｂとは、鏡像のような、実質的に対称な形状となっている。
【００７０】
第一指向性制御ホーン１３１、第二指向性制御ホーン１３２および第三指向性制御ホーン１３３は、それぞれの側壁１３ａ、側壁１３ｂ、上壁１３ｃおよび底壁１３ｄにより、矩形断面を有するラッパ状の形状に形成されている。
【００７１】
さらに、第一指向性制御ホーン１３１の側壁１３ａ、側壁１３ｂ、上壁１３ｃおよび底壁１３ｄは、第一ツイータユニット１２１が取り付けられる開口部１３ｅと、第一ツイータユニット１２１による再生音の放出方向である前面１ａ側の開口部１３ｆと、を形成している。
【００７２】
また、第二指向性制御ホーン１３２の側壁１３ａ、側壁１３ｂ、上壁１３ｃおよび底壁１３ｄは、第二ツイータユニット１２２が取り付けられる開口部１３ｅと、第二ツイータユニット１２２による再生音の放出方向である側面１ｂ側の開口部１３ｆと、を形成している。
【００７３】
また、第三指向性制御ホーン１３３の側壁１３ａ、側壁１３ｂ、上壁１３ｃおよび底壁１３ｄは、第三ツイータユニット１２３が取り付けられる開口部１３ｅと、第三ツイータユニット１２３よる再生音の放出方向である側面１ｃ側の開口部１３ｆと、を形成している。
【００７４】
第一指向性制御ホーン１３１、第二指向性制御ホーン１３２および第三指向性制御ホーン１３３の内側には、それぞれの側壁１３ａ、側壁１３ｂ、上壁１３ｃおよび底壁１３ｄにより、開口部１３ｅから開口部１３ｆに向かってラッパ状に拡がる拡散経路１３ｇが形成されている。
【００７５】
第一指向性制御ホーン１３１、第二指向性制御ホーン１３２および第三指向性制御ホーン１３３は、それぞれの拡散経路１３ｇの中心軸１３ｇｃがＸＹ平面に沿うように、それぞれの向きが設定されている。なお、図１１では、第一指向性制御ホーン１３１の拡散経路１３ｇにおける中心軸１３ｇｃのみを一点鎖線で示し、他の中心軸１３ｇｃは図示を省略している。なお、中心軸１３ｇｃは、側壁１３ａおよび側壁１３ｂのそれぞれから等距離にあり、上壁１３ｃおよび底壁１３ｄのそれぞれからも等距離にある軸である。これにより、スピーカ装置１が水平面に平行な載置面上に載置されたとき、第一指向性制御ホーン１３１、第二指向性制御ホーン１３２および第三指向性制御ホーン１３３の各中心軸１３ｇｃは、水平面に実質的に平行になる。すなわち、スピーカ装置１が通常の使用状態で使用されているとき、第一指向性制御ホーン１３１、第二指向性制御ホーン１３２および第三指向性制御ホーン１３３の各中心軸１３ｇｃは、水平方向に実質的に平行になる。
【００７６】
第一指向性制御ホーン１３１、第二指向性制御ホーン１３２および第三指向性制御ホーン１３３のそれぞれの上壁１３ｃは、拡散経路１３ｇが開口部１３ｅから開口部１３ｆに向かってＺ軸方向に拡大するように、上側ディフューザ部２０の反対側（天板３側）へ傾斜している。さらに、各上壁１３ｃは、拡散経路１３ｇが開口部１３ｅから開口部１３ｆに向かってＸＹ平面に沿う方向に拡大するように、幅が増加している。開口部１３ｆにおいて、各上壁１３ｃは、隣り合う２つの支柱部１１ｂにまで幅が拡がっている。
【００７７】
第一指向性制御ホーン１３１、第二指向性制御ホーン１３２および第三指向性制御ホーン１３３のそれぞれの底壁１３ｄは、拡散経路１３ｇが開口部１３ｅから開口部１３ｆに向かってＺ軸方向に拡大するように、上側ディフューザ部２０側へ傾斜している。さらに、各底壁１３ｄは、拡散経路１３ｇが開口部１３ｅから開口部１３ｆに向かってＸＹ平面に沿う方向に拡大するように、幅が増加している。開口部１３ｆにおいて、各底壁１３ｄは、隣り合う２つの支柱部１１ｂにまで幅が拡がっている。
【００７８】
なお、底壁１３ｄは、開口部１３ｅから開口部１３ｆに向かって、上側ディフューザ部２０側へ傾斜せずに、ＸＹ平面に実質的に平行になるように形成されてもよく、あるいは、上側ディフューザ部２０の反対側へ傾斜するように形成されてもよい。実施の形態１では、上壁１３ｃは、開口部１３ｅから開口部１３ｆに向かって、上側ディフューザ部２０の反対側へ傾斜している。そのため、スピーカ装置１が水平面に実質的に平行な載置面上に載置されたとき、すなわちスピーカ装置１が通常の使用状態にあるとき、指向性制御ホーン１３は、ツイータユニット１２が再生する音を、底壁１３ｄから上壁１３ｃに向かうＺ軸上方向へ拡散するように指向する。
【００７９】
第一指向性制御ホーン１３１、第二指向性制御ホーン１３２および第三指向性制御ホーン１３３のそれぞれの側壁１３ａおよび側壁１３ｂは、拡散経路１３ｇを、開口部１３ｅから開口部１３ｆに向かってＸＹ平面に沿う方向に拡大するように、上壁１３ｃおよび底壁１３ｄの縁に沿って形成されている。側壁１３ａは、開口部１３ｅから開口部１３ｆに向かう途中に曲がり部１３ａａを含み、側壁１３ｂは、開口部１３ｅから開口部１３ｆに向かう途中に曲がり部１３ｂａを含んでいる。側壁１３ａおよび側壁１３ｂのそれぞれは、開口部１３ｅから開口部１３ｆに向かって互いの離間距離が増大するように、曲がり部１３ａａおよび曲がり部１３ｂａにおいて屈曲している。したがって、開口部１３ｅから開口部１３ｆに向かう拡散経路１３ｇの幅の増加率は、開口部１３ｅから曲がり部１３ａａおよび曲がり部１３ｂａまでよりも、曲がり部１３ａａおよび曲がり部１３ｂａから開口部１３ｆまでの方が大きい。
【００８０】
上述のような構成を有する第一指向性制御ホーン１３１、第二指向性制御ホーン１３２および第三指向性制御ホーン１３３のそれぞれは、第一ツイータユニット１２１、第二ツイータユニット１２２および第三ツイータユニット１２３が再生する音を、側壁１３ａおよび側壁１３ｂに沿う方向（ＸＹ平面に沿う方向）と、上壁１３ｃおよび底壁１３ｄに沿う方向（Ｚ軸方向）と、に拡散することができる。さらに、第一指向性制御ホーン１３１、第二指向性制御ホーン１３２および第三指向性制御ホーン１３３のそれぞれが、上述したような屈曲した側壁１３ａおよび側壁１３ｂを有することによって、ＸＹ平面に沿う方向（例えば、水平方向）での音の指向範囲の制御が可能となる。すなわち、第一指向性制御ホーン１３１、第二指向性制御ホーン１３２および第三指向性制御ホーン１３３のそれぞれは、第一ツイータユニット１２１、第二ツイータユニット１２２および第三ツイータユニット１２３のそれぞれが再生する音の大部分を、所定の指向角（例えば水平方向に９０度、等）の指向範囲内に制限しつつ、拡散するように、音の指向を制御することができる。
【００８１】
この動作を、図１２を用いて具体的に説明する。図１２に示すように、第一指向性制御ホーン１３１は、第一ツイータユニット１２１が再生する音の大部分を、第二指向性制御ホーン１３２は、第二ツイータユニット１２２が再生する音の大部分を、第三指向性制御ホーン１３３は、第三ツイータユニット１２３が再生する音の大部分を、ＸＹ平面に沿う方向において、指向角αの指向範囲Ａ内に制限しつつ、拡散するように、それぞれ構成されている。本実施の形態では、指向範囲Ａを、第一指向性制御ホーン１３１、第二指向性制御ホーン１３２および第三指向性制御ホーン１３３のそれぞれに対して、線分Ｌ１と線分Ｌ２との間の領域としてもよい。なお、線分Ｌ１および線分Ｌ２は、拡散基準点Ｃから、開口部１３ｆの両端、具体的には支柱部１１ｂの中央、を通る線分である。また、拡散基準点Ｃは、第一ツイータユニット１２１、第二ツイータユニット１２２および第三ツイータユニット１２３の背部に設定される仮想点である。図１２では、線分Ｌ１および線分Ｌ２を一点鎖線で示す。そして、線分Ｌ１と線分Ｌ２とがなす角度が、指向角αである。
【００８２】
なお、本実施の形態では、指向角αを９０度としている。指向角αの指向性制御ホーン１３（第一指向性制御ホーン１３１、第二指向性制御ホーン１３２および第三指向性制御ホーン１３３）を設計するときに、全ての周波数の音を指向角αの指向範囲Ａ内に指向するように設計することは、必ずしも要求されない。第一指向性制御ホーン１３１、第二指向性制御ホーン１３２および第三指向性制御ホーン１３３のそれぞれは、ツイータユニット１２（第一ツイータユニット１２１、第二ツイータユニット１２２、または第三ツイータユニット１２３）が再生可能な周波数の音、またはツイータユニット１２が好適に再生可能な周波数の音、またはツイータユニット１２が通常再生する周波数の音、を指向範囲Ａ内に指向するように設計されてもよい。
【００８３】
第一指向性制御ホーン１３１、第二指向性制御ホーン１３２および第三指向性制御ホーン１３３は、ＸＹ平面に沿う方向において、それぞれの指向範囲Ａが、互いに隣接するが実質的にラップしないように、配置されている。これにより、第一指向性制御ホーン１３１、第二指向性制御ホーン１３２および第三指向性制御ホーン１３３のそれぞれを介して放出される第一ツイータユニット１２１の再生音、第二ツイータユニット１２２の再生音および第三ツイータユニット１２３の再生音は、互いの干渉が抑えられる。その結果、スピーカ装置１は、第一ツイータユニット１２１、第二ツイータユニット１２２および第三ツイータユニット１２３の各再生音を、スピーカ装置１の背面１ｄを除く前面１ａ、側面１ｂおよび側面１ｃの各方向、すなわちＸＹ平面において２７０度にわたる広い指向範囲に、途切れのない略均等な音圧で放出することができる。すなわち、通常の使用状況下にあるスピーカ装置１は、水平方向の２７０度にわたって実質的に無指向な音の再生が可能である。
【００８４】
なお、第一指向性制御ホーン１３１、第二指向性制御ホーン１３２および第三指向性制御ホーン１３３のそれぞれの指向範囲Ａが、互いに隣接するが実質的にラップしない、とは、以下に挙げる３つのケースを含む。
【００８５】
第１のケースは、隣り合う指向範囲Ａの間にわずかに隙間があるケースである。しかし、この隙間は、指向範囲Ａとその隙間の領域との間における音圧、音質等の変化が、計測結果に実質的に変化として表れない程度のものである。
【００８６】
第２のケースは、隣り合う指向範囲Ａが、隙間なくかつ重なりもなく、直接的に隣接するケースである。
【００８７】
第３のケースは、隣り合う指向範囲Ａが互いにわずかに重なるケースである。しかし、この重なりは、指向範囲Ａと比較した場合の、重なりの領域における干渉による音圧、音質等の変化が、計測結果に実質的に変化として表れない程度のものである。
【００８８】
［１−３．スピーカ装置の実施例］
ウーハ部の特性を、本実施の形態におけるスピーカ装置１の１つの実施例１と、バスレフ型でなく密閉型のスピーカ装置の比較例１と、で比較検討した。
【００８９】
実施例１では、ウーハ部６０は、スピーカ筐体３１の内部容積を８００立方ｃｍ、音響ポート３５および音響管３６の直径を１６ｍｍ、音響管３６の長さを４５０ｍｍとした。さらに、上側ウーハスピーカユニット３２および下側ウーハスピーカユニット３３は、口径を８ｃｍ、周波数帯域を１００Ｈｚ〜５０００Ｈｚとした。そして、バスレフ共振周波数は、４０Ｈｚとした。スピーカ筐体３１の内部寸法は、Ｘ軸方向の幅を約９ｃｍ、Ｙ軸方向の奥行きを約９ｃｍ、Ｚ軸方向の高さを約１０ｃｍとした。
【００９０】
比較例１では、実施例１に対して、音響ポート３５および音響管３６を備えずに、スピーカ筐体を密閉された構造とした。さらに、スピーカ筐体の内部容積は８００立方ｃｍとした。比較例１におけるその他の構成は、実施例１と同様である。
【００９１】
図１３は、実施の形態１におけるスピーカ装置１が備えるウーハ部６０の音圧と周波数との関係の一例を模式的に示す図である。図１３には、実施例１と比較例１とについて、２つのウーハスピーカユニットを備えるウーハ部の音圧と周波数との関係を、実施例１は実線のグラフで、比較例１は破線のグラフで、示している。なお、図１３において、縦軸は音圧（単位：ｄＢ）を表し、横軸は周波数（単位：Ｈｚ）を表す。
【００９２】
図１４は、実施の形態１におけるスピーカ装置１が備えるウーハスピーカユニットの振動板の振幅と周波数との関係の一例を模式的に示す図である。図１４には、実施例１と比較例１とについて、ウーハ部のウーハスピーカユニットの振動板の振幅と周波数との関係を、実施例１は実線のグラフで、比較例１は破線のグラフで示している。なお、図１４では、縦軸は振幅（単位：ｍｍ）を表し、横軸は周波数（単位：Ｈｚ）を表す。
【００９３】
図１５は、実施の形態１におけるスピーカ装置１が備えるウーハスピーカユニットのインピーダンスと周波数との関係の一例を模式的に示す図である。図１５には、実施例１と比較例１とについて、ウーハ部のウーハスピーカユニットのインピーダンスと周波数との関係を、実施例１は実線のグラフで、比較例１は破線のグラフで示している。なお、図１５では、縦軸はインピーダンス（単位：Ω）を表し、横軸は周波数（単位：Ｈｚ）を表す。
【００９４】
図１３に示すように、実施例１では、バスレフ共振周波数である４０Ｈｚ付近の周波数帯域において、バスレフ共振による影響によって、ウーハ部６０（低音域）の音圧が、比較例１よりも増大している。
【００９５】
一方、図１４に示すように、バスレフ共振周波数である４０Ｈｚ付近の周波数帯域において、実施例１でのウーハスピーカユニットの振動板の振幅は、比較例１よりも大幅に小さく抑えられている。このように、実施例１では、４０Ｈｚ付近の重低音領域で、振動板の振幅が抑えられることにより、音質および音の信頼性の確保が可能になる。
【００９６】
また、図１５に示すように、実施例１でのウーハスピーカユニットのインピーダンスは、バスレフ共振による振動板速度の影響を受け、低域に２つのピークが発生する。比較例１のインピーダンスは、スピーカ筐体が密閉構造であり共振系が１つのため、ピークは１つのみである。実施例１においては、２つのピーク間にバスレフ共振周波数がある。そして、その周波数付近のインピーダンスがより低いほど、効率よく振動板の振幅を小さく抑えることができる。
【００９７】
［１−３．効果等］
以上のように、本実施の形態において、スピーカ装置は、スピーカ筐体と、スピーカ筐体の第一壁部に設けられた第一スピーカユニットと、スピーカ筐体の内部と外部とを連通する音響管と、を備える。音響管は、所定の長さを有し、スピーカ筐体内にらせん状に曲げられて収められる。
【００９８】
なお、スピーカ装置１はスピーカ装置の一例である。スピーカ筐体３１はスピーカ筐体の一例である。上壁３１ｅおよび下壁３１ｆの一方は、第一壁部の一例である。上側ウーハスピーカユニット３２および下側ウーハスピーカユニット３３の一方は、第一スピーカユニットの一例である。音響管３６は音響管の一例である。
【００９９】
例えば、実施の形態１に示した例では、スピーカ装置１は、スピーカ筐体３１と、スピーカ筐体３１の上壁３１ｅ（または、下壁３１ｆ）に設けられた上側ウーハスピーカユニット３２（または、下側ウーハスピーカユニット３３）と、スピーカ筐体３１の内部と外部とを連通する音響管３６と、を備える。音響管３６は、所定の長さを有し、スピーカ筐体３１内にらせん状に曲げられて収められている。上側ウーハスピーカユニット３２および下側ウーハスピーカユニット３３は、スピーカ筐体３１の内部および外部に臨むようにスピーカ筐体３１に取り付けられてもよい。
【０１００】
このように構成されたスピーカ装置１において、スピーカ筐体３１内の気体（すなわち、内部空間３４内の気体）は、上側ウーハスピーカユニット３２（または、下側ウーハスピーカユニット３３）が振動することによって、特定の周波数で共振する。スピーカ装置１は、スピーカ筐体３１内の気体の共振により、共振周波数付近で音圧を上昇させることができる。スピーカ筐体３１内の気体の共振周波数は、音響管３６の長さに応じて変化する。そして、スピーカ装置１は、スピーカ筐体３１内に、音響管３６をらせん状に曲げて収めているので、音響管をらせん状に曲げない場合と比較して、音響管３６の長さを長くすることができる。したがって、共振周波数を目標の周波数に設定するために音響管３６を比較的長く形成する必要がある場合でも、スピーカ装置１は、相対的に長さが長い音響管３６をスピーカ筐体３１内に収めることができる。これにより、上側ウーハスピーカユニット３２の振動板３２ａの振幅（または、下側ウーハスピーカユニット３３の振動板３３ａの振幅）を重低音域で低下させることができる。さらに、音響管３６をらせん状にすることによって、音響管３６の曲がりを大きくしかつ曲がりを一様にすることができる。これにより、音響管３６の曲がり部分で発生するノイズを抑えることができる。
【０１０１】
スピーカ装置において、音響管の所定の長さは、スピーカ筐体内の気体の共振により音響管内の気体の速度が最大になるときのスピーカユニットの周波数が、所定の周波数よりも低くなるように、設定されてもよい。
【０１０２】
例えば、実施の形態１に示した例では、スピーカ装置１において、音響管３６の所定の長さは、スピーカ筐体３１内の気体の共振により音響管３６内の気体の速度（管内速度）が最大になるときの上側ウーハスピーカユニット３２（または、下側ウーハスピーカユニット３３）の周波数が、所定の周波数よりも低くなるように、設定される。
【０１０３】
スピーカ装置１では、音響管３６内の気体の速度（管内速度）が上昇すると、ノイズが発生しやすくなる。ノイズが最大となる（すなわち、音響管３６内の気体の速度（管内速度）が最大となる）ときの上側ウーハスピーカユニット３２（または、下側ウーハスピーカユニット３３）の周波数を、所定の周波数よりも低くする（例えば、上側ウーハスピーカユニット３２または下側ウーハスピーカユニット３３が再生可能な音をほとんど含まない低音の周波数帯域にまで低くする）ことによって、ユーザに可聴されるノイズを大幅に低減することができる。このときの所定の周波数は、例えば、上側ウーハスピーカユニット３２または下側ウーハスピーカユニット３３が再生可能な最も低い音以下の低音の周波数であってもよい。
【０１０４】
スピーカ装置は、第一壁部に対向するスピーカ筐体の第二壁部に設けられた第二スピーカユニットをさらに備えてもよい。
【０１０５】
なお、上壁３１ｅおよび下壁３１ｆの他方は、第二壁部の一例である。上側ウーハスピーカユニット３２および下側ウーハスピーカユニット３３の他方は、第二スピーカユニットの一例である。
【０１０６】
例えば、実施の形態１に示した例では、スピーカ装置１は、スピーカ筐体３１の上壁３１ｅに設けられた上側ウーハスピーカユニット３２と、上壁３１ｅに対向するスピーカ筐体３１の下壁３１ｆに設けられた下側ウーハスピーカユニット３３と、を備える。
【０１０７】
このように構成されたスピーカ装置１では、複数のウーハスピーカユニット（上側ウーハスピーカユニット３２および下側ウーハスピーカユニット３３）が設けられることによって、それらのウーハスピーカユニットが小型であっても、高い音圧での音の再生が可能になる。
【０１０８】
スピーカ装置において、音響管は、互いに反対向きに配置された第一スピーカユニットと第二スピーカユニットとの間に配置されてもよい。
【０１０９】
例えば、実施の形態１に示した例では、スピーカ装置１において、音響管３６は、対向して配置される（すなわち、互いに反対向きに配置される）上側ウーハスピーカユニット３２と下側ウーハスピーカユニット３３との間に配置される。
【０１１０】
このように構成されたスピーカ装置１では、音響管３６は、対向して配置される上側ウーハスピーカユニット３２の振動板３２ａおよび下側ウーハスピーカユニット３３の振動板３３ａのそれぞれが発生する振動波同士の干渉を抑え、振動波同士の干渉により生じる定在波の発生を抑えることができる。したがって、スピーカ装置１では、定在波によるスピーカ筐体３１内の気体の共振への影響を、抑えることができる。
【０１１１】
スピーカ装置において、第一スピーカユニットおよび第二スピーカユニットの少なくとも一方の少なくとも一部は、音響管のらせんの内側に配置されてもよい。
【０１１２】
例えば、実施の形態１に示した例では、スピーカ装置１において、上側ウーハスピーカユニット３２の一部および下側ウーハスピーカユニット３３の一部が、音響管３６のらせんの内側に配置されている。
【０１１３】
このように構成されたスピーカ装置１では、上側ウーハスピーカユニット３２と下側ウーハスピーカユニット３３との間の距離を低減することが可能となる。そのため、上壁３１ｅから下壁３１ｆに向かう方向（Ｚ軸方向）でのスピーカ筐体３１の小型化が可能になる。なお、スピーカ装置１においては、上側ウーハスピーカユニット３２および下側ウーハスピーカユニット３３の全てが、音響管３６のらせんの内側に配置されてもよい。
【０１１４】
スピーカ装置において、音響管は、第一壁部に対向するスピーカ筐体の第二壁部と第一壁部との間に形成されたスピーカ筐体の側壁部に近接するように、らせん状に延伸してもよい。
【０１１５】
なお、側壁３１ａ、側壁３１ｂ、側壁３１ｃおよび側壁３１ｄは、それぞれが側壁部の一例である。
【０１１６】
例えば、実施の形態１に示した例では、スピーカ装置１において、音響管３６は、上壁３１ｅと下壁３１ｆとの間に形成されたスピーカ筐体の側壁３１ａ、側壁３１ｂ、側壁３１ｃおよび側壁３１ｄのそれぞれに近接するように、らせん状に延伸する。
【０１１７】
このように構成されたスピーカ装置１では、音響管３６のらせんの径を相対的に大きくすることができる。これにより、スピーカ装置１では、音響管３６の曲がりの径が相対的に大きくなり曲がりが相対的に緩くなるため、音響管３６の曲がり部分で発生するノイズを抑えることができる。
【０１１８】
スピーカ装置は、スピーカ筐体内の気体の共振周波数および共振周波数近傍の周波数帯域にスピーカユニットの周波数があるときのスピーカユニットの音圧を高めるように、スピーカユニットを制御するブースト制御部、をさらに備えてもよい。
【０１１９】
なお、回路基板５２（または、回路基板５２に搭載された回路）は、ブースト制御部の一例である。
【０１２０】
例えば、実施の形態１に示した例では、スピーカ装置１は、スピーカ筐体３１内の気体の共振周波数および共振周波数近傍の周波数帯域に上側ウーハスピーカユニット３２および下側ウーハスピーカユニット３３の周波数があるときの上側ウーハスピーカユニット３２および下側ウーハスピーカユニット３３の音圧を高めるように、上側ウーハスピーカユニット３２および下側ウーハスピーカユニット３３をブースト制御する回路を搭載した回路基板５２を備える。
【０１２１】
スピーカ装置１では、共振周波数および共振周波数近傍の周波数帯域に上側ウーハスピーカユニット３２および下側ウーハスピーカユニット３３の周波数があるときに、上側ウーハスピーカユニット３２の振動板３２ａおよび下側ウーハスピーカユニット３３の振動板３３ａの振幅が小さくなる。しかし、スピーカ装置１では、ブースト制御により、振動板３２ａおよび振動板３３ａの振幅が小さくなる周波数帯域の音圧が高められるので、ブーストによる音圧上昇後の音質の確保が可能である。
【０１２２】
スピーカ装置は、スピーカ筐体の外部の、第一スピーカユニットに対向する位置に設けられ、第一スピーカユニットから出力される音を所定の方向に拡散するディフューザ体、をさらに備えてもよい。
【０１２３】
なお、ディフューザ体２２、ディフューザ体４２は、それぞれがディフューザ体の一例である。
【０１２４】
例えば、実施の形態１に示した例では、スピーカ装置１は、スピーカ筐体３１の外部の、上側ウーハスピーカユニット３２に対向する位置に設けられ、上側ウーハスピーカユニット３２から出力される音を所定の方向に拡散するディフューザ体２２を備える。また、スピーカ装置１は、スピーカ筐体３１の外部の、下側ウーハスピーカユニット３３に対向する位置に設けられ、下側ウーハスピーカユニット３３から出力される音を所定の方向に拡散するディフューザ体４２を備える。
【０１２５】
このように構成されたスピーカ装置１では、上側ウーハスピーカユニット３２による再生音を所定の方向に広域に拡散することができ、下側ウーハスピーカユニット３３による再生音を所定の方向に広域に拡散することができる。したがって、スピーカ装置１は、上側ウーハスピーカユニット３２および下側ウーハスピーカユニット３３による再生音の指向範囲を拡げることができる。さらに、ディフューザ体２２またはディフューザ体４２は、上側ウーハスピーカユニット３２または下側ウーハスピーカユニット３３から放出される音を、自身に衝突させることによって方向を変えて拡散してもよい。
【０１２６】
スピーカ装置において、所定の方向は、第一壁部がスピーカ筐体の上部または下部に位置するようにスピーカ装置が設置されたとき、スピーカ装置を中心とした水平方向に３６０度にわたる方向であってもよい。
【０１２７】
例えば、実施の形態１に示した例では、スピーカ装置１において、ディフューザ体２２およびディフューザ体４２が音を拡散する方向（所定の方向）は、上壁３１ｅ（または、下壁３１ｆ）がスピーカ筐体３１の上部（または、下部）に位置するようにスピーカ装置１が設置されたとき（すなわち、水平面に平行な載置面にスピーカ装置１が載置されたとき）、スピーカ装置１を中心とした水平方向に３６０度にわたる方向である。
【０１２８】
このように構成されたスピーカ装置１では、上側ウーハスピーカユニット３２および下側ウーハスピーカユニット３３からの再生音は、スピーカ装置１の周囲全体にわたる広域な範囲に拡散される。
【０１２９】
本実施の形態におけるスピーカ装置１は、複数のツイータユニット１２と、複数のツイータユニット１２のそれぞれに取り付けられツイータユニット１２が放出する音の拡がりを所定の指向範囲内に制限する複数の指向性制御ホーン１３と、を備える。さらに、隣り合う指向性制御ホーン１３は、互いの指向範囲が実質的に重ならないように隣接して、配置される。このように構成されたスピーカ装置１では、複数のツイータユニット１２による再生音は、複数の指向性制御ホーン１３によって、複数の指向範囲にわたって拡散される。さらに、スピーカ装置１では、複数の互いに異なる向きの指向性制御ホーン１３のそれぞれから放出される音が互いに干渉することが抑えられる。また、各ツイータユニット１２による再生音は、指向性制御ホーン１３によって指向範囲がそれぞれ制限されるため、広い範囲にわたり、一定の音圧を維持した状態で放出される。したがって、複数の指向性制御ホーン１３から放出される音は、乱れが抑えられて広範囲に拡散される。これにより、ユーザは、ツイータユニット１２による再生音を、相対的に広い範囲の受聴位置で、変化の少ない音質で聴くことが可能になる。
【０１３０】
本実施の形態におけるスピーカ装置１では、各指向性制御ホーン１３は、略水平方向に、それぞれの指向範囲が互いに隣接するように配置される。このように構成されたスピーカ装置１は、複数の指向性制御ホーン１３によって、水平方向に広く音を拡散することができる。したがって、スピーカ装置１では、ツイータユニット１２による再生音の、水平方向での指向性の低減が可能になる。
【０１３１】
本実施の形態におけるスピーカ装置１は、ツイータ部１０と、ウーハ部６０と、を一体化して含む。そして、スピーカ装置１では、スピーカ筐体３１の上側ウーハスピーカユニット３２および下側ウーハスピーカユニット３３のそれぞれを、重低音領域の音質を向上するように構成し、指向性制御ホーン１３を有するツイータユニット１２を、高音領域の音質を向上するように構成することによって、重低音領域から高音領域にわたって、再生音の音質の向上が可能になる。
【０１３２】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用できる。また、上記実施の形態１および下記の他の実施の形態で説明する各構成要素を組み合わせて、新たな実施の形態とすることも可能である。
【０１３３】
そこで、以下、他の実施の形態を例示する。
【０１３４】
実施の形態１では、スピーカ装置１において、ウーハスピーカ部３０が、上側ウーハスピーカユニット３２および下側ウーハスピーカユニット３３の２つのウーハスピーカユニットを備える構成例を示した。しかし、本開示はこの構成例に限定されない。ウーハスピーカ部３０が備えるウーハスピーカユニットは、１つであってもよく、３つ以上であってもよい。
【０１３５】
実施の形態１では、スピーカ装置１において、ウーハスピーカ部３０が備える音響管３６を、円形断面を有しかつ滑らに湾曲して形成されたらせん状の管とする構成例を示した。しかし、本開示はこの構成例に限定されない。音響管３６は、所定の管の長さおよび所定の管の内部断面積を有するものであってよい。音響管３６の内部断面形状は、円形に限定されず、矩形等の多角形、または楕円、または長円形、等あってもよい。また、音響管３６の形状は、らせん状に限定されず、内部空間３４内に収めることができれば、いかなる形状であってもよい。音響管３６は、曲がりを伴う形状の場合、例えば、渦巻き形状であってもよく、内部空間３４内をＺ軸方向に往復する形状、Ｘ軸若しくはＹ軸方向に往復する形状、または、これらを組み合わせた形状であってもよい。
【０１３６】
実施の形態１では、スピーカ装置１において、ウーハスピーカ部３０が備える音響管３６の全てが、スピーカ筐体３１の内部空間３４内に含まれている構成例を説明した。しかし、本開示はこの構成例に限定されない。音響管３６は、その一部がスピーカ筐体３１の外部に延びていてもよい。
【０１３７】
実施の形態１では、スピーカ装置１において、ツイータ部１０が、ツイータユニット１２および指向性制御ホーン１３の組を３組備えた構成例を説明した。しかし、本開示はこの構成例に限定されない。ツイータ部１０が備えるツイータユニット１２および指向性制御ホーン１３の組は、２組であってもよく、４組であってもよい。例えば、ツイータ部１０が、ツイータユニット１２および指向性制御ホーン１３の組を４組備える構成例では、ツイータ部１０は、スピーカ装置１の周りに、水平方向の３６０度にわたって実質的に無指向な音の再生が可能になる。ツイータ部１０が、ツイータユニット１２および指向性制御ホーン１３の組を２組備える構成例では、指向性制御ホーン１３の指向角を変更することによって、広域にわたって無指向な音の再生が可能である。
【０１３８】
実施の形態１では、スピーカ装置１において、ツイータ部１０が、９０度の指向角を有する３つ指向性制御ホーン１３を備えた構成例を説明した。しかし、本開示はこの構成例に限定されない。指向性制御ホーン１３の指向角は、９０度以外であってもよい。実施の形態１ではツイータユニット１２の向きを互いに直角にして配置する構成例を示したが、そうでない場合には、指向性制御ホーン１３の指向角は９０度以外の角度であってもよい。また、複数の指向性制御ホーン１３の指向角が互いに異なっていてもよい。
【０１３９】
実施の形態１では、スピーカ装置１のツイータ部１０において、３つの指向性制御ホーン１３は、それぞれの中心軸１３ｇｃがＸＹ平面に沿うように配置される構成例を示した。しかし、本開示はこの構成例に限定されない。ツイータ部１０において、指向性制御ホーン１３の中心軸１３ｇｃはどのような平面に沿っていてもよい。
【０１４０】
実施の形態１では、スピーカ装置１において、ウーハ部６０の上にツイータ部１０が配置された構成例を示した。しかし、本開示は、この構成例に限定されない。ウーハ部６０とツイータ部１０との配置形態および配置順序は、いかなるものであってもよい。
【０１４１】
実施の形態１では、スピーカ装置１のウーハ部６０において、上側ウーハスピーカユニット３２および下側ウーハスピーカユニット３３が上下に配置された構成例を示した。しかし、本開示は、この構成例に限定されない。ウーハ部６０は、いかなる向きで配置されてもよい。
【０１４２】
実施の形態１では、スピーカ装置１が、ツイータ部１０とウーハ部６０とを一体化して含む構成例を示した。しかし、本開示は、この構成例に限定されない。スピーカ装置１は、ツイータ部１０およびウーハ部６０のうちの一方のみを含む構成であってもよい。
【０１４３】
実施の形態１では、スピーカ装置１において、回路基板５２（図１０参照）に搭載された回路が、上側ウーハスピーカユニット３２および下側ウーハスピーカユニット３３にブーストをかけて音圧を上昇させる制御（ブースト制御）を行う構成例を示した。しかし、本開示は、この構成例に限定されない。上側ウーハスピーカユニット３２および下側ウーハスピーカユニット３３のブースト制御は、スピーカ装置１の外部の機器によって行われてもよい。例えば、音楽プレーヤ１０１が、上側ウーハスピーカユニット３２および下側ウーハスピーカユニット３３をブースト制御してもよい。その場合の構成例を図１６に示す。
【０１４４】
図１６は、実施の形態１におけるスピーカ装置１が備えるウーハスピーカユニットのブースト制御に係る構成要素の一構成例を示すブロック図である。上側ウーハスピーカユニット３２および下側ウーハスピーカユニット３３のブースト制御が、音楽プレーヤ１０１によって行われる場合、図１６のブロック図に示されるように、音楽プレーヤ１０１は、ブースト制御を行うブースト回路１０１ａと、アンプ１０１ｂと、を備える。ブースト回路１０１ａは、音楽プレーヤ１０１が備えるＣＤプレーヤまたはラジオ等の音楽ソース１０１ｃ、または音楽プレーヤ１０１が通信する外部機器等の外部音楽ソース２０１、から受け取る信号にブーストをかける。アンプ１０１ｂは、ブーストがかけられた信号を増幅してスピーカ装置１の上側ウーハスピーカユニット３２および下側ウーハスピーカユニット３３に送信する。スピーカ装置１を備えた音響システム１００は、このように構成されてもよい。このとき、回路基板５２に搭載された回路は、上側ウーハスピーカユニット３２および下側ウーハスピーカユニット３３の制御機能を有していなくてもよい。回路基板５２は、音楽プレーヤ１０１からスピーカ装置１に接続された信号線（リード）と上側ウーハスピーカユニット３２および下側ウーハスピーカユニット３３との電気的な接続を中継する中継基板としての機能だけを有するように構成されてもよい。さらに、回路基板５２は、音楽プレーヤ１０１からスピーカ装置１に接続されたリードとツイータユニット１２との電気的な接続を中継してもよい。
【０１４５】
実施の形態１では、スピーカ装置１において、ツイータ部１０のツイータ回路基板１４（図１２参照）に搭載された回路が、ツイータユニット１２を制御する構成例を示した。しかし、本開示は、この構成例に限定されない。ツイータユニット１２の制御は、スピーカ装置１の外部の機器によって行われてもよい。例えば、音楽プレーヤ１０１が、ツイータユニット１２を制御してもよい。このとき、ツイータ回路基板１４は、音楽プレーヤ１０１からスピーカ装置１に接続されたリード、または、音楽プレーヤ１０１から台座筐体５１の回路基板５２を経由して延伸するリードと、ツイータユニット１２と、の電気的な接続を中継する中継基板としての機能だけを有するように構成されてもよい。
【０１４６】
なお、本実施の形態では、「スピーカユニットの周波数」といった表現を用いたが、これは、「スピーカユニットで再生中の音の周波数」または「スピーカユニットで再生される音の周波数」の意味である。
【０１４７】
以上のように、本開示における技術の例示として、実施の形態を説明した。そのために、添付図面および詳細な説明を提供した。
【０１４８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５０】
本開示は、スピーカ装置、およびスピーカ装置を備える機器に適用可能である。具体的には、本開示は、音楽プレーヤを備える音響システム、テレビ等のモニタを備える音響映像システム、パーソナルコンピュータ等の様々なスピーカ装置を備える機器に適用可能である。
【符号の説明】
【０１５１】
１    スピーカ装置
１ａ    側面（前面）
１ｂ，１ｃ    側面
１ｄ    側面（背面）
１ｅ    頂面
１ｆ    底面
２    外装ネット
３    天板
１０    ツイータ部
１１    ツイータフレーム
１１ａ    上縁部
１１ｂ    支柱部
１１ｃ    背面壁部
１２    ツイータユニット
１３    指向性制御ホーン
１３ａ，１３ｂ    側壁
１３ａａ，１３ｂａ    曲がり部
１３ｃ    上壁
１３ｄ    底壁
１３ｅ，１３ｆ    開口部
１４    ツイータ回路基板
２０    上側ディフューザ部
２１    上側フレーム
２１ａ    支柱部
２１ｂ    支持プレート部
２２，４２    ディフューザ体
２２ａ，４２ａ    拡散部
３０    ウーハスピーカ部
３１    スピーカ筐体
３１ａ，３１ｂ，３１ｃ，３１ｄ    側壁
３１ｅ    上壁
３１ｆ    下壁
３２    上側ウーハスピーカユニット
３２ａ，３３ａ    振動板
３３    下側ウーハスピーカユニット
３４    内部空間
３５    音響ポート
３５ａ    ポート板
３６    音響管
３６ａ    フランジ
３６ｂ    端部
３７    吸音材
４０    下側ディフューザ部
４１    下側フレーム
４１ａ    支柱部
４１ｂ    梁部
５０    台座部
５１    台座筐体
５２    回路基板
６０    ウーハ部
１００    音響システム
１０１    音楽プレーヤ
１０１ａ    ブースト回路
１１０    操作部
１０１ｂ    アンプ
１０１ｃ    音楽ソース
１２１    第一ツイータユニット
１２２    第二ツイータユニット
１２３    第三ツイータユニット
１３１    第一指向性制御ホーン
１３２    第二指向性制御ホーン
１３３    第三指向性制御ホーン
２０１    外部音楽ソース
Ａ    指向範囲
Ｃ    拡散基準点
Ｌ１，Ｌ２    線分
【図１】
2017038016.tif 000003
【図２】
2017038016.tif 000004
【図３】
2017038016.tif 000005
【図４】
2017038016.tif 000006
【図５】
2017038016.tif 000007
【図６】
2017038016.tif 000008
【図７】
2017038016.tif 000009
【図８】
2017038016.tif 000010
【図９】
2017038016.tif 000011
【図１０】
2017038016.tif 000012
【図１１】
2017038016.tif 000013
【図１２】
2017038016.tif 000014
【図１３】
2017038016.tif 000015
【図１４】
2017038016.tif 000016
【図１５】
2017038016.tif 000017
【図１６】
2017038016.tif 000018
【手続補正書】
【提出日】平成30年2月21日(2018.2.21)
【手続補正１】
【補正対象書類名】明細書
【補正対象項目名】全文
【補正方法】変更
【補正の内容】
【発明の詳細な説明】
【技術分野】
【０００１】
本開示は、スピーカ装置に関する。
【背景技術】
【０００２】
特許文献１は、バスレフ型のスピーカ装置を開示する。特許文献１に開示されるスピーカ装置は、エンクロージャーと、スピーカユニットと、ダクトとを、備えている。スピーカユニットは、エンクロージャー内部に配置されてエンクロージャーに取り付けられる。ダクトは、エンクロージャー内部に配置されてエンクロージャー内部とエンクロージャー外部とを通気する。このスピーカ装置では、スピーカユニットが所定の低域周波数で振動した場合にダクト内の空気が共振する。これにより、このスピーカ装置では、低域の音声出力が増強される。
【先行技術文献】
【特許文献】
【０００３】
【特許文献１】特開２０１４−０４９９９９号公報
【発明の概要】
【０００４】
本開示は、音質を向上できるスピーカ装置を提供する。
【０００５】
本開示におけるスピーカ装置は、スピーカ筐体と、スピーカ筐体の第一壁部に設けられた第一スピーカユニットと、スピーカ筐体の内部と外部とを連通する音響管と、を備える。音響管は、所定の長さを有し、スピーカ筐体内にらせん状に曲げられて収められている。
【０００６】
本開示におけるスピーカ装置は、音質を向上できる。
【図面の簡単な説明】
【０００７】
【図１】図１は、実施の形態１におけるスピーカ装置を備えた音響システムの一構成例を模式的に示す図である。
【図２】図２は、実施の形態１におけるスピーカ装置の一構成例を模式的に示す斜視図である。
【図３】図３は、実施の形態１におけるスピーカ装置の一構成例を模式的に示す斜視図である。
【図４】図４は、実施の形態１におけるスピーカ装置の一構成例を模式的に示す斜視図である。
【図５】図５は、実施の形態１におけるスピーカ装置の内部構造の一例を模式的に示す斜視図である。
【図６】図６は、実施の形態１におけるスピーカ装置の内部構造の一例を模式的に示す斜視図である。
【図７】図７は、実施の形態１におけるスピーカ装置の内部構造の一例を模式的に示す斜視図である。
【図８】図８は、実施の形態１におけるスピーカ装置の内部構造の一例を模式的に示す側面図である。
【図９】図９は、実施の形態１におけるスピーカ装置の音響管の一構成例を模式的に示す斜視図である。
【図１０】図１０は、実施の形態１におけるスピーカ装置が備える台座部およびその周辺の一構成例を模式的に示す側面図である。
【図１１】図１１は、実施の形態１におけるスピーカ装置が備えるツイータ部の一構成例を模式的に示す斜視図である。
【図１２】図１２は、実施の形態１におけるスピーカ装置が備えるツイータ部の一構成例を模式的に示す上面図である。
【図１３】図１３は、実施の形態１におけるスピーカ装置が備えるウーハ部の音圧と周波数との関係の一例を模式的に示す図である。
【図１４】図１４は、実施の形態１におけるスピーカ装置が備えるウーハスピーカユニットの振動板の振幅と周波数との関係の一例を模式的に示す図である。
【図１５】図１５は、実施の形態１におけるスピーカ装置が備えるウーハスピーカユニットのインピーダンスと周波数との関係の一例を模式的に示す図である。
【図１６】図１６は、実施の形態１におけるスピーカ装置が備えるウーハスピーカユニットのブースト制御に係る構成要素の一構成例を示すブロック図である。
【発明を実施するための形態】
【０００８】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することは意図されていない。
【００１０】
また、各図は、模式図であり、必ずしも厳密に図示されたものではない。また、各図において、実質的に同じ構成要素については同じ符号を付し、説明を省略または簡略化する場合がある。
【００１１】
（実施の形態１）
以下、図１〜図１５を参照しつつ、実施の形態１におけるスピーカ装置と、そのスピーカ装置を備える音響システムと、について説明する。
【００１２】
［１−１．音響システムの全体構成］
図１は、実施の形態１におけるスピーカ装置１を備えた音響システム１００の一構成例を模式的に示す図である。図１には、音響システム１００を正面側から見た斜視図を示す。なお、本実施の形態では、音楽プレーヤ１０１の操作部１１０が設けられた側を正面とする。
【００１３】
音響システム１００は、１つの音楽プレーヤ１０１と、２つのスピーカ装置１と、を備える。なお、音楽プレーヤ１０１およびスピーカ装置１の数量は、上記数値に限定されない。音響システム１００が備える音楽プレーヤ１０１は２以上でもよい。また、音響システム１００が備えるスピーカ装置１は、１つでもよく、３以上でもよい。
【００１４】
スピーカ装置１は、音楽プレーヤ１０１に接続されており、音楽プレーヤ１０１から出力される音声信号（ａｕｄｉｏ  ｓｉｇｎａｌ）を音声（ｓｏｕｎｄ）に変換して出力（以下、単に「再生」ともいう）することができる。
【００１５】
音楽プレーヤ１０１は、様々な外部機器や音楽ソースから出力される信号を、スピーカ装置１が再生可能な音声信号に変換して出力することができるように構成されている。例えば、音楽プレーヤ１０１は、ＵＳＢ（ＵＮＩＶＥＲＳＡＬ  Ｓｅｒｉａｌ  Ｂｕｓ）の接続端子を介して有線接続された外部機器、またはＷｉ−Ｆｉ（登録商標）やＢｌｕｅｔооｔｈ（登録商標）等で無線接続された外部機器、等から音声に関する信号を受け取って音声信号を出力するように構成されてもよく、あるいは、音楽プレーヤ１０１が備えるＣＤ（Ｃｏｍｐａｃｔ  Ｄｉｓｃ）プレーヤまたはラジオ等の音楽ソースから音声に関する信号を受け取って音声信号を出力するように構成されてもよい。
【００１６】
［１−２．スピーカ装置の構成］
次に、図２〜図１２を参照して、実施の形態１におけるスピーカ装置１の構成を説明する。
【００１７】
図２は、実施の形態１におけるスピーカ装置１の一構成例を模式的に示す斜視図である。図２は、図１に示したスピーカ装置１を正面斜め方向から見た斜視図である。
【００１８】
図２に示すように、スピーカ装置１は、上下方向（Ｚ軸方向）に縦長の直方体形状を有している。スピーカ装置１は、底面１ｆに設けられた複数の脚部１ｇによって、載置面（図示せず）上に支持されるように構成されている。なお、本実施の形態では、スピーカ装置１が４つの脚部１ｇを備える構成例を示すが、スピーカ装置１が備える脚部１ｇの数は４つに限定されない。
【００１９】
スピーカ装置１における底面１ｆに対向する頂面１ｅは、天板３によって構成されている。天板３は、スピーカ装置１の意匠も構成している。
【００２０】
スピーカ装置１は、頂面１ｅおよび底面１ｆと、頂面１ｅおよび底面１ｆに隣り合う側面１ａ、側面１ｂ、側面１ｃおよび側面１ｄと、を備える。スピーカ装置１において、３つの側面１ａ、側面１ｂおよび側面１ｃは、外装ネット２によって構成されている。外装ネット２は、スピーカ装置１の意匠も構成している。直方体の４つの側面を形成する側面１ａ、側面１ｂ、側面１ｃおよび側面１ｄは、直角四角筒を形成している。
【００２１】
なお、本実施の形態では、便宜的に、Ｘ軸、Ｙ軸、Ｚ軸の３軸を用いて説明を行う。以下、底面１ｆから頂面１ｅに向かう方向をＺ軸正方向とする。また、前面である側面１ａ（以下、「前面１ａ」とも呼ぶ）から背面である側面１ｄ（以下、「背面１ｄ」とも呼ぶ）に向かう方向をＹ軸正方向とする。また、側面１ｂから側面１ｃに向かう方向をＸ軸正方向とする。
【００２２】
図３、図４は、実施の形態１におけるスピーカ装置１の一構成例を模式的に示す斜視図である。図３は、図２のスピーカ装置１から外装ネット２が除かれた態様を示す斜視図であり、図４は、図３のスピーカ装置１を背面斜め方向から見た斜視図である。
【００２３】
図５、図６、図７は、実施の形態１におけるスピーカ装置１の内部構造の一例を模式的に示す斜視図である。図５は、図３に示したスピーカ装置１の一部を切断して内部構造を示した部分断面図である。図６は、図３に示したスピーカ装置１から天板３とスピーカ筐体３１の側壁３１ａおよび側壁３１ｃとを除いた態様を示す斜視図である。図７は、図４に示したスピーカ装置１から天板３とスピーカ筐体３１の側壁３１ｃおよび側壁３１ｄとを除いた態様を示す斜視図である。
【００２４】
図３〜図７を参照しながら以下を説明する。スピーカ装置１は、ツイータ部１０、上側ディフューザ部２０、ウーハスピーカ部３０、下側ディフューザ部４０、および台座部５０、を備えている。ツイータ部１０は、頂面１ｅと上側ディフューザ部２０との間に配置され、複数のツイータユニット１２を備える。上側ディフューザ部２０、ウーハスピーカ部３０および下側ディフューザ部４０は、スピーカ装置１において、ウーハ部６０を構成する。ウーハ部６０は、スピーカ装置１において、中低音の再生を担当するように構成されている。ツイータ部１０は、スピーカ装置１において、中高音の再生を担当するように構成されている。
【００２５】
ツイータ部１０には、略直方体状の輪郭を有するツイータフレーム１１が設けられている。ツイータフレーム１１は、略正方形の枠状の上縁部１１ａと、４つの互いに離れた支柱部１１ｂと、矩形板状の背面壁部１１ｃと、を一体成形によって含む。４つの支柱部１１ｂは、上縁部１１ａの４つの角部のそれぞれから、上側ディフューザ部２０に向かってＺ軸方向に沿って延伸して設けられている。背面壁部１１ｃは、背面１ｄ側において互いに隣り合う２つの支柱部１１ｂの間に延伸して設けられている。背面壁部１１ｃは、背面１ｄ側の２つの支柱部１１ｂの間を閉鎖する。上縁部１１ａは、天板３が上縁部１１ａの内周側に整合して嵌るような形状を有している。
【００２６】
ツイータ部１０において、ツイータフレーム１１の内側には、高音を再生可能なスピーカである３つのツイータユニット１２が設けられている。３つのツイータユニット１２は、それぞれが、スピーカ装置１の前面１ａ、側面１ｂおよび側面１ｃに向けて音を放射状に放出するように、配置されている。すなわち、３つのツイータユニット１２は、それぞれの向きが、ＸＹ平面に実質的に平行な面上（スピーカ装置１が水平面に平行な載置面に載置されている場合は、水平方向）において互いに実質的に直交するように、配置されている。
【００２７】
ツイータユニット１２は、所定の高音域の周波数帯域の音を好適に再生可能な周波数特性を有するように、構成されている。所定の高音域の周波数帯域は、例えば、１ｋＨｚから１００ｋＨｚ近傍までの範囲、または、２ｋＨｚから１００ｋＨｚを超える周波数までの範囲、等である。
【００２８】
さらに、ツイータ部１０において、各ツイータユニット１２には、指向性制御ホーン１３が取り付けられている。指向性制御ホーン１３は、ラッパ状の形状を有し、ツイータユニット１２による再生音を指向するように構成されている。複数の指向性制御ホーン１３は、それぞれが１つのツイータユニット１２から延び、ツイータユニット１２による再生音の放出方向である前面１ａ、または側面１ｂ、または側面１ｃに向かう方向にそれぞれの向きが設定されている。そして、指向性制御ホーン１３は、ツイータフレーム１１の支柱部１１ｂ間で開口している。指向性制御ホーン１３は、ツイータフレーム１１の内側に配置され、ツイータフレーム１１に固定されている。言い換えると、３つの指向性制御ホーン１３のそれぞれは、１つは前面１ａに向かって放射状に音を放出するように配置され、他の一つは側面１ｂに向かって放射状に音を放出するように配置され、残りの一つは側面１ｃに向かって放射状に音を放出するように配置されている。
【００２９】
ウーハスピーカ部３０には、Ｚ軸方向を長手方向とした直方体状のスピーカ筐体３１が設けられている。スピーカ筐体３１は、中空構造であり、内部に内部空間３４を有している。ウーハスピーカ部３０は、上側ウーハスピーカユニット３２および下側ウーハスピーカユニット３３を有する。また、スピーカ筐体３１には、上壁３１ｅおよび下壁３１ｆが互いに平行に配置されている。上壁３１ｅは上側ディフューザ部２０へ向いた壁部であり、下壁３１ｆは下側ディフューザ部４０へ向いた壁部である。そして、上側ウーハスピーカユニット３２は、上壁３１ｅに形成された開口に、出音方向が上側ディフューザ部２０へ向くように埋め込まれている。下側ウーハスピーカユニット３３は、下壁３１ｆに形成された開口に、出音方向が下側ディフューザ部４０へ向くように埋め込まれている。
【００３０】
上側ウーハスピーカユニット３２および下側ウーハスピーカユニット３３は、所定の中低音域の周波数帯域の音を好適に再生可能である周波数特性を有するように、構成されている。この所定の中低音域の周波数帯域は、例えば、３５Ｈｚから５０００Ｈｚまでの範囲である。なお、上壁３１ｅおよび下壁３１ｆの一方は、スピーカ筐体の第一壁部の一例であり、上壁３１ｅおよび下壁３１ｆの他方は、スピーカ筐体の第二壁部の一例である。
【００３１】
上述したように、上側ウーハスピーカユニット３２は上側ディフューザ部２０に向かって音を放出するように設置方向が設定されており、下側ウーハスピーカユニット３３は下側ディフューザ部４０に向かって音を放出するように設置方向が設定されている。ウーハスピーカ部３０に、上側ウーハスピーカユニット３２および下側ウーハスピーカユニット３３を設けることによって、上側ウーハスピーカユニット３２および下側ウーハスピーカユニット３３のそれぞれが、例えば直径８ｃｍ程度の比較的小口径の振動板３２ａまたは振動板３３ａ（図５を参照）を有するものであっても、ウーハスピーカ部３０では、相対的に大きな音圧を得ることができる。
【００３２】
さらに、上側ウーハスピーカユニット３２をスピーカ筐体３１の上壁３１ｅに設け、下側ウーハスピーカユニット３３をスピーカ筐体３１の下壁３１ｆに設けることによって、ＸＹ平面におけるスピーカ筐体３１の小型化が可能になり、スピーカ装置１の設置面積の低減が可能になる。なお、上側ウーハスピーカユニット３２および下側ウーハスピーカユニット３３の一方は、第一スピーカユニットの一例であり、上側ウーハスピーカユニット３２および下側ウーハスピーカユニット３３の他方は、第二スピーカユニットの一例である。
【００３３】
上側ディフューザ部２０には、略直方体状の輪郭を有する上側フレーム２１が設けられている。上側フレーム２１は、４つの支柱部２１ａと、略正方形の板状の支持プレート部２１ｂと、を含む。４つの支柱部２１ａのそれぞれは、互いに離れて配置され、Ｚ軸方向に沿って延伸するように形成されている。支持プレート部２１ｂは、４つの支柱部２１ａと一体に成形されている。４つの支柱部２１ａは、スピーカ筐体３１の正方形状の上壁３１ｅの４つの角部の位置、およびツイータフレーム１１の４つの支柱部１１ｂの位置に、それぞれ配置されている。支持プレート部２１ｂは、上壁３１ｅ上に沿って延伸して形成されている。上側ウーハスピーカユニット３２は、支持プレート部２１ｂに形成された開口を通って配置され、上側ウーハスピーカユニット３２の振動板３２ａを上側フレーム２１内に露出する。支持プレート部２１ｂがスピーカ筐体３１の上壁３１ｅに固定され、支柱部２１ａがツイータフレーム１１に固定されることによって、上側フレーム２１は、ツイータ部１０とウーハスピーカ部３０とを連結する。
【００３４】
さらに、上側ディフューザ部２０には、ディフューザ体２２が、上側フレーム２１内に設けられている。ディフューザ体２２は、円錐状に突出する拡散部２２ａを含んでいる。ディフューザ体２２は、ツイータフレーム１１に隣接して配置され、上側フレーム２１の支柱部２１ａに固定されている。拡散部２２ａは、円錐の先端が丸められた外形を有し、かつ、先端の反対側が開放した中空構造を有している。拡散部２２ａは、拡散部２２ａの先端が、上側ウーハスピーカユニット３２に向かって突出しかつ上側ウーハスピーカユニット３２の振動板３２ａの中心と向き合う位置に配置されるように、配置されている。したがって、拡散部２２ａは、上側ウーハスピーカユニット３２が再生する音を、スピーカ装置１の周囲に、ＸＹ平面に沿う方向に略均等に拡散する。例えばスピーカ装置１が水平面に平行な載置面に載置されているとき、拡散部２２ａは、上側ウーハスピーカユニット３２が再生する音を、水平方向に、３６０度にわたって実質的に無指向に拡散する。
【００３５】
図１０は、実施の形態１におけるスピーカ装置１が備える台座部５０およびその周辺の一構成例を模式的に示す側面図である。なお、図５に示すように台座部５０にはディフューザ体４２が取り付けられているが、図１０には、ディフューザ体４２を取り外した台座部５０を示す。
【００３６】
台座部５０には、正方形状の平面形状を有しかつＺ軸方向に扁平になった箱状の台座筐体５１が設けられている。台座筐体５１の底部には、複数の脚部１ｇと、接続プラグ（図示せず）と、が設けられている。接続プラグは、図１に示す音楽プレーヤ１０１とスピーカ装置１とを電気的に接続するための接続部である。さらに、図１０に示すように、台座筐体５１の内側には、上側ウーハスピーカユニット３２および下側ウーハスピーカユニット３３の動作を制御する回路が搭載された回路基板５２が設けられている。回路基板５２は、下側ディフューザ部４０内に突出するように配置され、接続プラグに電気的に接続されている。台座筐体５１の内部には、床等の載置面に載置されたスピーカ装置１の安定性を向上させるためのウェイト（図示せず）が設けられていてもよい。
【００３７】
再び、図３〜図７を参照しながら説明を行う。
【００３８】
下側ディフューザ部４０には、略直方体状の輪郭を有する下側フレーム４１が設けられている。下側フレーム４１は、４つの支柱部４１ａと、４つの梁部４１ｂと、を含む。４つの支柱部４１ａのそれぞれは、互いに離れて配置され、Ｚ軸方向に沿って延伸するように形成されている。４つの梁部４１ｂのそれぞれは、隣り合う支柱部４１ａ同士を連結する。４つの支柱部４１ａは、スピーカ筐体３１の正方形状の下壁３１ｆの４つの角部の位置、および台座筐体５１の側方の４つの角部の位置に、それぞれ配置されている。４つの梁部４１ｂは、台座筐体５１側の支柱部４１ａの端部にそれぞれ配置され、台座筐体５１の外縁に沿って延伸する。支柱部４１ａがスピーカ筐体３１の下壁３１ｆおよび台座筐体５１に固定されることによって、下側フレーム４１は、ウーハスピーカ部３０と台座部５０とを連結する。
【００３９】
さらに、下側ディフューザ部４０には、ディフューザ体４２が、下側フレーム４１内に設けられている。ディフューザ体４２は、円錐状に突出する拡散部４２ａを含んでいる。拡散部４２ａは、円錐の先端が丸められた外形を有し、かつ、先端の反対側が開放した中空構造を有している。ディフューザ体４２は、ディフューザ体２２と同様の形状を有している。ディフューザ体４２は、台座筐体５１に隣接して配置され、下側フレーム４１の梁部４１ｂに固定されている。拡散部４２ａは、拡散部４２ａの先端が、下側ウーハスピーカユニット３３に向かって突出しかつ下側ウーハスピーカユニット３３の振動板３３ａの中心と向き合う位置に配置されるように、配置されている。したがって、拡散部４２ａは、下側ウーハスピーカユニット３３が再生する音を、スピーカ装置１の周囲に、ＸＹ平面に沿う方向に略均等に拡散する。例えばスピーカ装置１が水平面に平行な載置面に載置されているとき、拡散部４２ａは、下側ウーハスピーカユニット３３が再生する音を、水平方向に、３６０度にわたって実質的に無指向に拡散する。
【００４０】
さらに、ウーハスピーカ部３０の詳細な構成を、図３〜図５を参照しながら、説明する。
【００４１】
ウーハスピーカ部３０のスピーカ筐体３１は、上壁３１ｅおよび下壁３１ｆに加えて、これらの壁に隣り合う側壁３１ａ、側壁３１ｂ、側壁３１ｃおよび側壁３１ｄを有している。側壁３１ａはスピーカ装置１の前面１ａに位置し、側壁３１ｂは側面１ｂに位置し、側壁３１ｃは側面１ｃに位置し、側壁３１ｄは背面１ｄに位置するように、それぞれが配置されている。
【００４２】
スピーカ筐体３１の内側には、上側ウーハスピーカユニット３２および下側ウーハスピーカユニット３３と、側壁３１ａ〜側壁３１ｄおよび上壁３１ｅ、下壁３１ｆとで囲まれた、閉じた内部空間３４が形成されている。上側ウーハスピーカユニット３２および下側ウーハスピーカユニット３３は、例えば図５に示されるように、それぞれの振動板３２ａおよび振動板３３ａが、内部空間３４とスピーカ筐体３１の外部とのそれぞれに面するように配置されている。さらに、上側ウーハスピーカユニット３２と下側ウーハスピーカユニット３３とは、内部空間３４内でＺ軸方向に互いに離間した位置に配置されている。なお、内部空間３４の容積は、例えば８００立方ｃｍ程度の、スピーカ筐体の容積としては比較的小さいものであってもよい。なお、側壁３１ａ、側壁３１ｂ、側壁３１ｃおよび側壁３１ｄは、それぞれがスピーカ筐体の側壁部の一例である。
【００４３】
背面１ｄに位置する側壁３１ｄ（以下、「背面側の側壁３１ｄ」とも呼ぶ）には、図４に一例を示すように、音響ポート３５が形成されている。音響ポート３５は、円状に開口したバスレフポートである。音響ポート３５は、背面側の側壁３１ｄに嵌め込まれたポート板３５ａが円形に貫通されて形成されている。
【００４４】
以下、図５〜図９を参照しながら説明を行う。
【００４５】
図８は、実施の形態１におけるスピーカ装置１の内部構造の一例を模式的に示す側面図である。図８には、図７に示したスピーカ装置１を、スピーカ筐体３１の側壁３１ａを取り除き、側壁３１ｃ側から見た側面図を示す。
【００４６】
図９は、実施の形態１におけるスピーカ装置１の音響管３６の一構成例を模式的に示す斜視図である。図９には、図７に示したスピーカ装置１の音響管３６を単体で示す。
【００４７】
スピーカ筐体３１の内部空間３４内において、上側ウーハスピーカユニット３２と下側ウーハスピーカユニット３３との間には、円状の管内断面を有する音響管３６が設けられている。音響管３６は、上側ウーハスピーカユニット３２および下側ウーハスピーカユニット３３の周りを周回するようにらせん状に延伸して形成されている。具体的には、音響管３６は、上側ウーハスピーカユニット３２の振動板３２ａを駆動する筒状の振動発生部（磁気回路部とも呼ぶ）３２ｂと、下側ウーハスピーカユニット３３の振動板３３ａを駆動する筒状の振動発生部（磁気回路部）３３ｂとの周りを、周回する形状を有する。なお、振動発生部（磁気回路部）３２ｂおよび振動発生部（磁気回路部）３３ｂのそれぞれの内部には、音声信号に従って振動板３２ａまたは振動板３３ａを振動させるための構造が配置されている。
【００４８】
音響管３６は、例えば、曲がりが滑らかで曲がりの角度が緩くなるようならせん形状で形成されてもよい。さらに、音響管３６は、一様に曲げられて形成されてもよい。さらにまた、音響管３６は、スピーカ筐体３１の側壁３１ａ、側壁３１ｂ、側壁３１ｃおよび側壁３１ｄに接触する程度の、できるだけ大きい外径を有するように形成されてもよい。実施の形態１では、音響管３６は、側壁３１ａ、側壁３１ｂ、側壁３１ｃおよび側壁３１ｄに近接するような大きい外径を有する形状で形成されている。
【００４９】
音響管３６の一方の端部にあるフランジ３６ａは、ポート板３５ａに連結されている（図４、図９参照）。音響管３６は、音響ポート３５と実質的に同じ内径を有し、音響ポート３５に連通する。音響管３６の他方の端部３６ｂは、スピーカ筐体３１の内部空間３４内に開口している。音響管３６および音響ポート３５は、スピーカ筐体３１の外部と内部空間３４とを互いに連通する。さらに、音響管３６の端部３６ｂの開口は、吸音材３７（アコースティックアブソーバ）によって覆われている（図６参照）。吸音材３７は、音を制動・吸収する機能を有するように構成されている。吸音材３７は、例えばポリエステル等の材料から形成することができる。吸音材３７は、音響管３６の長さ（すなわち、ポート長）に起因して発生する共振を制動するように機能する。つまり、吸音材３７は、ポート長に起因する共振を制動する効果を有する。音響管３６は、ポート板３５ａおよび吸音材３７の枠部材を介して、スピーカ筐体３１の背面側の側壁３１ｄに固定される。なお、吸音材３７は必須なものではなく、設けられなくてもよい。
【００５０】
上述のような上側ウーハスピーカユニット３２、下側ウーハスピーカユニット３３、音響ポート３５、音響管３６およびスピーカ筐体３１によって、バスレフ型スピーカが構成される。バスレフ型スピーカであるスピーカ装置１では、内部空間３４が有する空気のバネ性と、音響管３６および音響ポート３５が有する音響質量とが、上側ウーハスピーカユニット３２の振動板３２ａおよび下側ウーハスピーカユニット３３の振動板３３ａの振動を受けて共振することができる。すなわち、スピーカ装置１はバスレフ共振することができる。
【００５１】
共振がない場合、振動板３２ａおよび振動板３３ａの前面へ放射される音と振動板３２ａおよび振動板３３ａの背面へ放射される音とは、本来は逆相である。しかし、スピーカ装置１では、バスレフ共振によって、振動板３２ａおよび振動板３３ａの背面へ放射された音の位相回りが発生する。そのため、バスレフ共振周波数付近において共振する内部空間３４内の空気は、振動板３２ａおよび振動板３３ａからディフューザ体２２およびディフューザ体４２の方向へ放出される空気と合成される。これにより、スピーカ装置１では、音圧を高めることができる。さらに、共振する空気は、振動板３２ａおよび振動板３３ａの振幅を減少させることができる場合もある。なお、バスレフ共振周波数は、バスレフ共振の際の共振周波数である。
【００５２】
バスレフ共振周波数Ｆｂは、以下の式で示される。
Ｆｂ＝（（１／Ｍ・Ｃ）＾（１／２））／２π
（記号＾はべき乗を表す）
なお、Ｍは、音響管３６の音響質量に関連する要素であり、Ｃは、内部空間３４の容積に関連する要素である。バスレフ共振により、振動板３２ａおよび振動板３３ａによる音圧の増加、および、振動板３２ａおよび振動板３３ａの振幅の減少が、効果的に起こり得る。
【００５３】
本実施の形態では、上側ウーハスピーカユニット３２および下側ウーハスピーカユニット３３の重低音域の音圧を増加するために、バスレフ共振周波数は、上側ウーハスピーカユニット３２および下側ウーハスピーカユニット３３が好適に音声を再生可能である周波数帯域以下である重低音域の所定の周波数に設定される。この場合、低いバスレフ共振周波数に対応するように、要素Ｍおよび要素Ｃを大きくする必要がある。なお、上記重低音域の所定の周波数は、例えば、３０Ｈｚから５０Ｈｚまでの範囲、およびその近傍の音の周波数帯域とすることができるが、本開示はこれらの数値に限定されない。
【００５４】
また、本実施の形態では、上述のようなバスレフ共振周波数に対応する要素Ｍおよび要素Ｃの決定を、要素Ｃを相対的に小さくして行っている。具体的には、要素Ｃに関連する内部空間３４の容積を、例えば８００立方ｃｍ程度の比較的小さい容積に予め設定し、要素Ｍを相対的に大きくしている。つまり、本実施の形態では、音響質量が相対的に大きくなるように音響管３６が構成される。そして、音響質量を大きくするために、音響管３６は、内径が相対的に小さく、管長が相対的に長尺であるように構成される。
【００５５】
また、音響管３６内の空気速度である管内速度が上昇することで、ノイズが発生しやすくなる。このため、バスレフ共振により管内速度が最大となるときの周波数が、所定の周波数（例えば、音声および音楽の信号にほとんど含まれない超低音域の周波数）となるように、音響管３６は構成されてもよい。このとき、音響管３６は、管長が相対的に長尺であるように構成される。なお、超低音域とは、例えば、１０Ｈｚから３０Ｈｚまでの範囲およびその近傍の音の周波数帯域とすることができる。
【００５６】
また、上述の説明では、音響管３６の内径は、音響質量を大きくするために、相対的に小さく設定されるとしたが、音響管３６の内径は、長尺な音響管３６の内部を通る空気に与える抵抗を抑えるようにも考慮されて設定される。
【００５７】
上述のような条件に基づき、音響管３６の内径および管長が決定される。例えば、本実施の形態では、内部空間３４の容積を８００立方ｃｍ、バスレフ共振周波数を４０Ｈｚとした場合に、音響管３６を、内径を１６ｍｍ、管長を４５０ｍｍに設定して構成することができる。そして、このような相対的に長尺の音響管３６を、比較的小さい内部空間３４内に収めるために、音響管３６は、曲げられている。
【００５８】
また、上述のような音響管３６および内部空間３４の構成により、バスレフ共振周波数およびその近傍の周波数帯域において、上側ウーハスピーカユニット３２の振動板３２ａおよび下側ウーハスピーカユニット３３の振動板３３ａの振幅は小さく抑えられる。バスレフ共振周波数およびその近傍の周波数帯域において振動板３２ａおよび振動板３３ａの振幅が相対的に小さくなる場合に、上側ウーハスピーカユニット３２および下側ウーハスピーカユニット３３に対して、上記周波数帯域の音圧を電気的に増加させるようなブースト制御を行うことで、再生される音声における歪みを抑えることができる。一方、バスレフ共振周波数およびその近傍の周波数帯域において振動板３２ａおよび振動板３３ａの振幅が相対的に大きい状態で、上側ウーハスピーカユニット３２および下側ウーハスピーカユニット３３に対して上記のブースト制御が行われると、音声が歪みを含むようになる。
【００５９】
さらに、音響管３６および音響ポート３５の形状は、内面の粘性抵抗を低減するように、円形等の滑らかな形状に設定されてもよい。
【００６０】
また、音響管３６の曲がりが相対的に急な場合、内部を流れる空気による摩擦ノイズ（すなわち、風切り音）が、相対的に増大する。このノイズを抑制するために、音響管３６の曲がりは、相対的に滑らかにされてもよく、音響管３６の曲がり角度および曲がり半径は、相対的に大きく設定されてもよい。さらにまた、音響管３６の曲がりは、一様にされてもよい。例えば、本実施の形態に示すように、音響管３６を、スピーカ筐体３１の側壁３１ａ、側壁３１ｂ、側壁３１ｃおよび側壁３１ｄに内接する程度の、できるだけ大きい外径を有し、らせん状に延伸する形状とすることによって、スピーカ装置１は上述した条件を満たすことができる。さらに、音響管３６をらせん状にすることで、音響管３６が内部空間３４内で占める領域を小さくすることもできる。
【００６１】
また、音響管３６は、上側ウーハスピーカユニット３２の振動板３２ａと下側ウーハスピーカユニット３３の振動板３３ａとの間に介在して配置されるため、振動板３２ａの振動波と振動板３３ａの振動波とを拡散させることができ、振動波同士が干渉するのを抑制することができる。これにより、振動板３２ａの振動波と振動板３３ａの振動波とが干渉して定在波が生じるのを低減することができる。なお、定在波は、内部空間３４の空気の共振に影響を及ぼすので抑制されることが望ましい。
【００６２】
図１０に示す回路基板５２に搭載された回路は、上側ウーハスピーカユニット３２および下側ウーハスピーカユニット３３の動作を制御するものであるが、上側ウーハスピーカユニット３２および下側ウーハスピーカユニット３３のそれぞれの動作に電気的にブーストをかける制御を行うこともできる。具体的には、バスレフ共振によって上側ウーハスピーカユニット３２の振動板３２ａおよび下側ウーハスピーカユニット３３の振動板３３ａにおける振幅が低くなる周波数帯域において、回路基板５２に搭載された回路は、上側ウーハスピーカユニット３２および下側ウーハスピーカユニット３３へ供給する信号の電圧を大きくすることによって、振動板３２ａおよび振動板３３ａの音圧を増大させるためのブースト制御を行う。回路基板５２（または、回路基板５２に搭載された回路）は、ブースト制御部の一例である。
【００６３】
上述のような構成を有する上側ディフューザ部２０、ウーハスピーカ部３０および下側ディフューザ部４０を備えたウーハ部６０は、上側ウーハスピーカユニット３２が比較的小口径の振動板３２ａを有し、下側ウーハスピーカユニット３３が比較的小口径の振動板３３ａを有するものであっても、大口径の振動板を有するスピーカと同様に、低音を低歪で再生することができる。
【００６４】
次に、図１１および図１２を参照しながら、ツイータ部１０の詳細な構成を説明する。
【００６５】
図１１は、実施の形態１におけるスピーカ装置１が備えるツイータ部１０の一構成例を模式的に示す斜視図である。なお、図１１は、図６に示したスピーカ装置１のツイータ部１０を、図６とは別の方向から見た斜視図である。
【００６６】
図１２は、実施の形態１におけるスピーカ装置１が備えるツイータ部１０の一構成例を模式的に示す上面図である。なお、図１２は、図１１に示すツイータ部１０を上方から見た上面図であり、指向性制御ホーン１３の上壁１３ｃを除去して示す図である。
【００６７】
ツイータフレーム１１内には、３つのツイータユニット１２と３つの指向性制御ホーン１３とに加えて、ツイータユニット１２を制御するための回路が搭載されたツイータ回路基板１４が設けられている。ツイータ回路基板１４は、図６に示した上側ディフューザ部２０の上側フレーム２１に取り付けられている。ツイータ回路基板１４に搭載された回路は、３つのツイータユニット１２に電気的に接続され、ツイータユニット１２の動作を制御するように構成されている。以下、便宜的に、３つのツイータユニット１２のそれぞれを、第一ツイータユニット１２１、第二ツイータユニット１２２および第三ツイータユニット１２３とも呼ぶ。さらに、第一ツイータユニット１２１、第二ツイータユニット１２２および第三ツイータユニット１２３のそれぞれに取り付けられる３つの指向性制御ホーン１３のそれぞれを、第一指向性制御ホーン１３１、第二指向性制御ホーン１３２および第三指向性制御ホーン１３３とも呼ぶ。
【００６８】
第一ツイータユニット１２１および第一指向性制御ホーン１３１はスピーカ装置１の前面１ａに向かう方向に向きが設定され、第二ツイータユニット１２２および第二指向性制御ホーン１３２はスピーカ装置１の側面１ｂに向かう方向に向きが設定され、第三ツイータユニット１２３および第三指向性制御ホーン１３３はスピーカ装置１の側面１ｃに向かう方向に向きが設定されている。したがって、第一ツイータユニット１２１および第一指向性制御ホーン１３１と、第二ツイータユニット１２２および第二指向性制御ホーン１３２と、第三ツイータユニット１２３および第三指向性制御ホーン１３３とは、それぞれの向きが、ＸＹ平面に実質的に平行な面上（スピーカ装置１が水平面に平行な載置面に載置されている場合は、水平方向）において互いに実質的に直交するように、配置されている。さらに、第二ツイータユニット１２２および第二指向性制御ホーン１３２と、第三ツイータユニット１２３および第三指向性制御ホーン１３３とは、それぞれの向きが互いに実質的に反対方向となるように、配置されている。
【００６９】
第一指向性制御ホーン１３１、第二指向性制御ホーン１３２および第三指向性制御ホーン１３３のそれぞれは、上側ディフューザ部２０（図６参照）側に配置された扇形状の底壁１３ｄと、底壁１３ｄに対向する位置に配置された扇形状の上壁１３ｃと、上壁１３ｃと底壁１３ｄとの間に配置された側壁１３ａおよび側壁１３ｂと、を含む。上壁１３ｃと底壁１３ｄとは、鏡像のような、実質的に対称な形状となっている。側壁１３ａと側壁１３ｂとは、鏡像のような、実質的に対称な形状となっている。
【００７０】
第一指向性制御ホーン１３１、第二指向性制御ホーン１３２および第三指向性制御ホーン１３３は、それぞれの側壁１３ａ、側壁１３ｂ、上壁１３ｃおよび底壁１３ｄにより、矩形断面を有するラッパ状の形状に形成されている。
【００７１】
さらに、第一指向性制御ホーン１３１の側壁１３ａ、側壁１３ｂ、上壁１３ｃおよび底壁１３ｄは、第一ツイータユニット１２１が取り付けられる開口部１３ｅと、第一ツイータユニット１２１による再生音の放出方向である前面１ａ側の開口部１３ｆと、を形成している。
【００７２】
また、第二指向性制御ホーン１３２の側壁１３ａ、側壁１３ｂ、上壁１３ｃおよび底壁１３ｄは、第二ツイータユニット１２２が取り付けられる開口部１３ｅと、第二ツイータユニット１２２による再生音の放出方向である側面１ｂ側の開口部１３ｆと、を形成している。
【００７３】
また、第三指向性制御ホーン１３３の側壁１３ａ、側壁１３ｂ、上壁１３ｃおよび底壁１３ｄは、第三ツイータユニット１２３が取り付けられる開口部１３ｅと、第三ツイータユニット１２３よる再生音の放出方向である側面１ｃ側の開口部１３ｆと、を形成している。
【００７４】
第一指向性制御ホーン１３１、第二指向性制御ホーン１３２および第三指向性制御ホーン１３３の内側には、それぞれの側壁１３ａ、側壁１３ｂ、上壁１３ｃおよび底壁１３ｄにより、開口部１３ｅから開口部１３ｆに向かってラッパ状に拡がる拡散経路１３ｇが形成されている。
【００７５】
第一指向性制御ホーン１３１、第二指向性制御ホーン１３２および第三指向性制御ホーン１３３は、それぞれの拡散経路１３ｇの中心軸１３ｇｃがＸＹ平面に沿うように、それぞれの向きが設定されている。なお、図１１では、第一指向性制御ホーン１３１の拡散経路１３ｇにおける中心軸１３ｇｃのみを一点鎖線で示し、他の中心軸１３ｇｃは図示を省略している。なお、中心軸１３ｇｃは、側壁１３ａおよび側壁１３ｂのそれぞれから等距離にあり、上壁１３ｃおよび底壁１３ｄのそれぞれからも等距離にある軸である。これにより、スピーカ装置１が水平面に平行な載置面上に載置されたとき、第一指向性制御ホーン１３１、第二指向性制御ホーン１３２および第三指向性制御ホーン１３３の各中心軸１３ｇｃは、水平面に実質的に平行になる。すなわち、スピーカ装置１が通常の使用状態で使用されているとき、第一指向性制御ホーン１３１、第二指向性制御ホーン１３２および第三指向性制御ホーン１３３の各中心軸１３ｇｃは、水平方向に実質的に平行になる。
【００７６】
第一指向性制御ホーン１３１、第二指向性制御ホーン１３２および第三指向性制御ホーン１３３のそれぞれの上壁１３ｃは、拡散経路１３ｇが開口部１３ｅから開口部１３ｆに向かってＺ軸方向に拡大するように、上側ディフューザ部２０の反対側（天板３側）へ傾斜している。さらに、各上壁１３ｃは、拡散経路１３ｇが開口部１３ｅから開口部１３ｆに向かってＸＹ平面に沿う方向に拡大するように、幅が増加している。開口部１３ｆにおいて、各上壁１３ｃは、隣り合う２つの支柱部１１ｂにまで幅が拡がっている。
【００７７】
第一指向性制御ホーン１３１、第二指向性制御ホーン１３２および第三指向性制御ホーン１３３のそれぞれの底壁１３ｄは、拡散経路１３ｇが開口部１３ｅから開口部１３ｆに向かってＺ軸方向に拡大するように、上側ディフューザ部２０側へ傾斜している。さらに、各底壁１３ｄは、拡散経路１３ｇが開口部１３ｅから開口部１３ｆに向かってＸＹ平面に沿う方向に拡大するように、幅が増加している。開口部１３ｆにおいて、各底壁１３ｄは、隣り合う２つの支柱部１１ｂにまで幅が拡がっている。
【００７８】
なお、底壁１３ｄは、開口部１３ｅから開口部１３ｆに向かって、上側ディフューザ部２０側へ傾斜せずに、ＸＹ平面に実質的に平行になるように形成されてもよく、あるいは、上側ディフューザ部２０の反対側へ傾斜するように形成されてもよい。実施の形態１では、上壁１３ｃは、開口部１３ｅから開口部１３ｆに向かって、上側ディフューザ部２０の反対側へ傾斜している。そのため、スピーカ装置１が水平面に実質的に平行な載置面上に載置されたとき、すなわちスピーカ装置１が通常の使用状態にあるとき、指向性制御ホーン１３は、ツイータユニット１２が再生する音を、底壁１３ｄから上壁１３ｃに向かうＺ軸上方向へ拡散するように指向する。
【００７９】
第一指向性制御ホーン１３１、第二指向性制御ホーン１３２および第三指向性制御ホーン１３３のそれぞれの側壁１３ａおよび側壁１３ｂは、拡散経路１３ｇを、開口部１３ｅから開口部１３ｆに向かってＸＹ平面に沿う方向に拡大するように、上壁１３ｃおよび底壁１３ｄの縁に沿って形成されている。側壁１３ａは、開口部１３ｅから開口部１３ｆに向かう途中に曲がり部１３ａａを含み、側壁１３ｂは、開口部１３ｅから開口部１３ｆに向かう途中に曲がり部１３ｂａを含んでいる。側壁１３ａおよび側壁１３ｂのそれぞれは、開口部１３ｅから開口部１３ｆに向かって互いの離間距離が増大するように、曲がり部１３ａａおよび曲がり部１３ｂａにおいて屈曲している。したがって、開口部１３ｅから開口部１３ｆに向かう拡散経路１３ｇの幅の増加率は、開口部１３ｅから曲がり部１３ａａおよび曲がり部１３ｂａまでよりも、曲がり部１３ａａおよび曲がり部１３ｂａから開口部１３ｆまでの方が大きい。
【００８０】
上述のような構成を有する第一指向性制御ホーン１３１、第二指向性制御ホーン１３２および第三指向性制御ホーン１３３のそれぞれは、第一ツイータユニット１２１、第二ツイータユニット１２２および第三ツイータユニット１２３が再生する音を、側壁１３ａおよび側壁１３ｂに沿う方向（ＸＹ平面に沿う方向）と、上壁１３ｃおよび底壁１３ｄに沿う方向（Ｚ軸方向）と、に拡散することができる。さらに、第一指向性制御ホーン１３１、第二指向性制御ホーン１３２および第三指向性制御ホーン１３３のそれぞれが、上述したような屈曲した側壁１３ａおよび側壁１３ｂを有することによって、ＸＹ平面に沿う方向（例えば、水平方向）での音の指向範囲の制御が可能となる。すなわち、第一指向性制御ホーン１３１、第二指向性制御ホーン１３２および第三指向性制御ホーン１３３のそれぞれは、第一ツイータユニット１２１、第二ツイータユニット１２２および第三ツイータユニット１２３のそれぞれが再生する音の大部分を、所定の指向角（例えば水平方向に９０度、等）の指向範囲内に制限しつつ、拡散するように、音の指向を制御することができる。
【００８１】
この動作を、図１２を用いて具体的に説明する。図１２に示すように、第一指向性制御ホーン１３１は、第一ツイータユニット１２１が再生する音の大部分を、第二指向性制御ホーン１３２は、第二ツイータユニット１２２が再生する音の大部分を、第三指向性制御ホーン１３３は、第三ツイータユニット１２３が再生する音の大部分を、ＸＹ平面に沿う方向において、指向角αの指向範囲Ａ内に制限しつつ、拡散するように、それぞれ構成されている。本実施の形態では、指向範囲Ａを、第一指向性制御ホーン１３１、第二指向性制御ホーン１３２および第三指向性制御ホーン１３３のそれぞれに対して、線分Ｌ１と線分Ｌ２との間の領域としてもよい。なお、線分Ｌ１および線分Ｌ２は、拡散基準点Ｃから、開口部１３ｆの両端、具体的には支柱部１１ｂの中央、を通る線分である。また、拡散基準点Ｃは、第一ツイータユニット１２１、第二ツイータユニット１２２および第三ツイータユニット１２３の背部に設定される仮想点である。図１２では、線分Ｌ１および線分Ｌ２を一点鎖線で示す。そして、線分Ｌ１と線分Ｌ２とがなす角度が、指向角αである。
【００８２】
なお、本実施の形態では、指向角αを９０度としている。指向角αの指向性制御ホーン１３（第一指向性制御ホーン１３１、第二指向性制御ホーン１３２および第三指向性制御ホーン１３３）を設計するときに、全ての周波数の音を指向角αの指向範囲Ａ内に指向するように設計することは、必ずしも要求されない。第一指向性制御ホーン１３１、第二指向性制御ホーン１３２および第三指向性制御ホーン１３３のそれぞれは、ツイータユニット１２（第一ツイータユニット１２１、第二ツイータユニット１２２、または第三ツイータユニット１２３）が再生可能な周波数の音、またはツイータユニット１２が好適に再生可能な周波数の音、またはツイータユニット１２が通常再生する周波数の音、を指向範囲Ａ内に指向するように設計されてもよい。
【００８３】
第一指向性制御ホーン１３１、第二指向性制御ホーン１３２および第三指向性制御ホーン１３３は、ＸＹ平面に沿う方向において、それぞれの指向範囲Ａが、互いに隣接するが実質的にラップしないように、配置されている。これにより、第一指向性制御ホーン１３１、第二指向性制御ホーン１３２および第三指向性制御ホーン１３３のそれぞれを介して放出される第一ツイータユニット１２１の再生音、第二ツイータユニット１２２の再生音および第三ツイータユニット１２３の再生音は、互いの干渉が抑えられる。その結果、スピーカ装置１は、第一ツイータユニット１２１、第二ツイータユニット１２２および第三ツイータユニット１２３の各再生音を、スピーカ装置１の背面１ｄを除く前面１ａ、側面１ｂおよび側面１ｃの各方向、すなわちＸＹ平面において２７０度にわたる広い指向範囲に、途切れのない略均等な音圧で放出することができる。すなわち、通常の使用状況下にあるスピーカ装置１は、水平方向の２７０度にわたって実質的に無指向な音の再生が可能である。
【００８４】
なお、第一指向性制御ホーン１３１、第二指向性制御ホーン１３２および第三指向性制御ホーン１３３のそれぞれの指向範囲Ａが、互いに隣接するが実質的にラップしない、とは、以下に挙げる３つのケースを含む。
【００８５】
第１のケースは、隣り合う指向範囲Ａの間にわずかに隙間があるケースである。しかし、この隙間は、指向範囲Ａとその隙間の領域との間における音圧、音質等の変化が、計測結果に実質的に変化として表れない程度のものである。
【００８６】
第２のケースは、隣り合う指向範囲Ａが、隙間なくかつ重なりもなく、直接的に隣接するケースである。
【００８７】
第３のケースは、隣り合う指向範囲Ａが互いにわずかに重なるケースである。しかし、この重なりは、指向範囲Ａと比較した場合の、重なりの領域における干渉による音圧、音質等の変化が、計測結果に実質的に変化として表れない程度のものである。
【００８８】
［１−３．スピーカ装置の実施例］
ウーハ部の特性を、本実施の形態におけるスピーカ装置１の１つの実施例１と、バスレフ型でなく密閉型のスピーカ装置の比較例１と、で比較検討した。
【００８９】
実施例１では、ウーハ部６０は、スピーカ筐体３１の内部容積を８００立方ｃｍ、音響ポート３５および音響管３６の直径を１６ｍｍ、音響管３６の長さを４５０ｍｍとした。さらに、上側ウーハスピーカユニット３２および下側ウーハスピーカユニット３３は、口径を８ｃｍ、周波数帯域を１００Ｈｚ〜５０００Ｈｚとした。そして、バスレフ共振周波数は、４０Ｈｚとした。スピーカ筐体３１の内部寸法は、Ｘ軸方向の幅を約９ｃｍ、Ｙ軸方向の奥行きを約９ｃｍ、Ｚ軸方向の高さを約１０ｃｍとした。
【００９０】
比較例１では、実施例１に対して、音響ポート３５および音響管３６を備えずに、スピーカ筐体を密閉された構造とした。さらに、スピーカ筐体の内部容積は８００立方ｃｍとした。比較例１におけるその他の構成は、実施例１と同様である。
【００９１】
図１３は、実施の形態１におけるスピーカ装置１が備えるウーハ部６０の音圧と周波数との関係の一例を模式的に示す図である。図１３には、実施例１と比較例１とについて、２つのウーハスピーカユニットを備えるウーハ部の音圧と周波数との関係を、実施例１は実線のグラフで、比較例１は破線のグラフで、示している。なお、図１３において、縦軸は音圧（単位：ｄＢ）を表し、横軸は周波数（単位：Ｈｚ）を表す。
【００９２】
図１４は、実施の形態１におけるスピーカ装置１が備えるウーハスピーカユニットの振動板の振幅と周波数との関係の一例を模式的に示す図である。図１４には、実施例１と比較例１とについて、ウーハ部のウーハスピーカユニットの振動板の振幅と周波数との関係を、実施例１は実線のグラフで、比較例１は破線のグラフで示している。なお、図１４では、縦軸は振幅（単位：ｍｍ）を表し、横軸は周波数（単位：Ｈｚ）を表す。
【００９３】
図１５は、実施の形態１におけるスピーカ装置１が備えるウーハスピーカユニットのインピーダンスと周波数との関係の一例を模式的に示す図である。図１５には、実施例１と比較例１とについて、ウーハ部のウーハスピーカユニットのインピーダンスと周波数との関係を、実施例１は実線のグラフで、比較例１は破線のグラフで示している。なお、図１５では、縦軸はインピーダンス（単位：Ω）を表し、横軸は周波数（単位：Ｈｚ）を表す。
【００９４】
図１３に示すように、実施例１では、バスレフ共振周波数である４０Ｈｚ付近の周波数帯域において、バスレフ共振による影響によって、ウーハ部６０（低音域）の音圧が、比較例１よりも増大している。
【００９５】
一方、図１４に示すように、バスレフ共振周波数である４０Ｈｚ付近の周波数帯域において、実施例１でのウーハスピーカユニットの振動板の振幅は、比較例１よりも大幅に小さく抑えられている。このように、実施例１では、４０Ｈｚ付近の重低音領域で、振動板の振幅が抑えられることにより、音質および音の信頼性の確保が可能になる。
【００９６】
また、図１５に示すように、実施例１でのウーハスピーカユニットのインピーダンスは、バスレフ共振による振動板速度の影響を受け、低域に２つのピークが発生する。比較例１のインピーダンスは、スピーカ筐体が密閉構造であり共振系が１つのため、ピークは１つのみである。実施例１においては、２つのピーク間にバスレフ共振周波数がある。そして、その周波数付近のインピーダンスがより低いほど、効率よく振動板の振幅を小さく抑えることができる。
【００９７】
［１−４．効果等］
以上のように、本実施の形態において、スピーカ装置は、スピーカ筐体と、スピーカ筐体の第一壁部に設けられた第一スピーカユニットと、スピーカ筐体の内部と外部とを連通する音響管と、を備える。音響管は、所定の長さを有し、スピーカ筐体内にらせん状に曲げられて収められる。
【００９８】
なお、スピーカ装置１はスピーカ装置の一例である。スピーカ筐体３１はスピーカ筐体の一例である。上壁３１ｅおよび下壁３１ｆの一方は、第一壁部の一例である。上側ウーハスピーカユニット３２および下側ウーハスピーカユニット３３の一方は、第一スピーカユニットの一例である。音響管３６は音響管の一例である。
【００９９】
例えば、実施の形態１に示した例では、スピーカ装置１は、スピーカ筐体３１と、スピーカ筐体３１の上壁３１ｅ（または、下壁３１ｆ）に設けられた上側ウーハスピーカユニット３２（または、下側ウーハスピーカユニット３３）と、スピーカ筐体３１の内部と外部とを連通する音響管３６と、を備える。音響管３６は、所定の長さを有し、スピーカ筐体３１内にらせん状に曲げられて収められている。上側ウーハスピーカユニット３２および下側ウーハスピーカユニット３３は、スピーカ筐体３１の内部および外部に臨むようにスピーカ筐体３１に取り付けられてもよい。
【０１００】
このように構成されたスピーカ装置１において、スピーカ筐体３１内の気体（すなわち、内部空間３４内の気体）は、上側ウーハスピーカユニット３２（または、下側ウーハスピーカユニット３３）が振動することによって、特定の周波数で共振する。スピーカ装置１は、スピーカ筐体３１内の気体の共振により、共振周波数付近で音圧を上昇させることができる。スピーカ筐体３１内の気体の共振周波数は、音響管３６の長さに応じて変化する。そして、スピーカ装置１は、スピーカ筐体３１内に、音響管３６をらせん状に曲げて収めているので、音響管をらせん状に曲げない場合と比較して、音響管３６の長さを長くすることができる。したがって、共振周波数を目標の周波数に設定するために音響管３６を比較的長く形成する必要がある場合でも、スピーカ装置１は、相対的に長さが長い音響管３６をスピーカ筐体３１内に収めることができる。これにより、上側ウーハスピーカユニット３２の振動板３２ａの振幅（または、下側ウーハスピーカユニット３３の振動板３３ａの振幅）を重低音域で低下させることができる。さらに、音響管３６をらせん状にすることによって、音響管３６の曲がりを大きくしかつ曲がりを一様にすることができる。これにより、音響管３６の曲がり部分で発生するノイズを抑えることができる。
【０１０１】
スピーカ装置において、音響管の所定の長さは、スピーカ筐体内の気体の共振により音響管内の気体の速度が最大になるときのスピーカユニットの周波数が、所定の周波数よりも低くなるように、設定されてもよい。
【０１０２】
例えば、実施の形態１に示した例では、スピーカ装置１において、音響管３６の所定の長さは、スピーカ筐体３１内の気体の共振により音響管３６内の気体の速度（管内速度）が最大になるときの上側ウーハスピーカユニット３２（または、下側ウーハスピーカユニット３３）の周波数が、所定の周波数よりも低くなるように、設定される。
【０１０３】
スピーカ装置１では、音響管３６内の気体の速度（管内速度）が上昇すると、ノイズが発生しやすくなる。ノイズが最大となる（すなわち、音響管３６内の気体の速度（管内速度）が最大となる）ときの上側ウーハスピーカユニット３２（または、下側ウーハスピーカユニット３３）の周波数を、所定の周波数よりも低くする（例えば、上側ウーハスピーカユニット３２または下側ウーハスピーカユニット３３が再生可能な音をほとんど含まない低音の周波数帯域にまで低くする）ことによって、ユーザに可聴されるノイズを大幅に低減することができる。このときの所定の周波数は、例えば、上側ウーハスピーカユニット３２または下側ウーハスピーカユニット３３が再生可能な最も低い音以下の低音の周波数であってもよい。
【０１０４】
スピーカ装置は、第一壁部に対向するスピーカ筐体の第二壁部に設けられた第二スピーカユニットをさらに備えてもよい。
【０１０５】
なお、上壁３１ｅおよび下壁３１ｆの他方は、第二壁部の一例である。上側ウーハスピーカユニット３２および下側ウーハスピーカユニット３３の他方は、第二スピーカユニットの一例である。
【０１０６】
例えば、実施の形態１に示した例では、スピーカ装置１は、スピーカ筐体３１の上壁３１ｅに設けられた上側ウーハスピーカユニット３２と、上壁３１ｅに対向するスピーカ筐体３１の下壁３１ｆに設けられた下側ウーハスピーカユニット３３と、を備える。
【０１０７】
このように構成されたスピーカ装置１では、複数のウーハスピーカユニット（上側ウーハスピーカユニット３２および下側ウーハスピーカユニット３３）が設けられることによって、それらのウーハスピーカユニットが小型であっても、高い音圧での音の再生が可能になる。
【０１０８】
スピーカ装置において、音響管は、互いに反対向きに配置された第一スピーカユニットと第二スピーカユニットとの間に配置されてもよい。
【０１０９】
例えば、実施の形態１に示した例では、スピーカ装置１において、音響管３６は、対向して配置される（すなわち、互いに反対向きに配置される）上側ウーハスピーカユニット３２と下側ウーハスピーカユニット３３との間に配置される。
【０１１０】
このように構成されたスピーカ装置１では、音響管３６は、対向して配置される上側ウーハスピーカユニット３２の振動板３２ａおよび下側ウーハスピーカユニット３３の振動板３３ａのそれぞれが発生する振動波同士の干渉を抑え、振動波同士の干渉により生じる定在波の発生を抑えることができる。したがって、スピーカ装置１では、定在波によるスピーカ筐体３１内の気体の共振への影響を、抑えることができる。
【０１１１】
スピーカ装置において、第一スピーカユニットおよび第二スピーカユニットの少なくとも一方の少なくとも一部は、音響管のらせんの内側に配置されてもよい。
【０１１２】
例えば、実施の形態１に示した例では、スピーカ装置１において、上側ウーハスピーカユニット３２の一部および下側ウーハスピーカユニット３３の一部が、音響管３６のらせんの内側に配置されている。
【０１１３】
このように構成されたスピーカ装置１では、上側ウーハスピーカユニット３２と下側ウーハスピーカユニット３３との間の距離を低減することが可能となる。そのため、上壁３１ｅから下壁３１ｆに向かう方向（Ｚ軸方向）でのスピーカ筐体３１の小型化が可能になる。なお、スピーカ装置１においては、上側ウーハスピーカユニット３２および下側ウーハスピーカユニット３３の全てが、音響管３６のらせんの内側に配置されてもよい。
【０１１４】
スピーカ装置において、音響管は、第一壁部に対向するスピーカ筐体の第二壁部と第一壁部との間に形成されたスピーカ筐体の側壁部に近接するように、らせん状に延伸してもよい。
【０１１５】
なお、側壁３１ａ、側壁３１ｂ、側壁３１ｃおよび側壁３１ｄは、それぞれが側壁部の一例である。
【０１１６】
例えば、実施の形態１に示した例では、スピーカ装置１において、音響管３６は、上壁３１ｅと下壁３１ｆとの間に形成されたスピーカ筐体の側壁３１ａ、側壁３１ｂ、側壁３１ｃおよび側壁３１ｄのそれぞれに近接するように、らせん状に延伸する。
【０１１７】
このように構成されたスピーカ装置１では、音響管３６のらせんの径を相対的に大きくすることができる。これにより、スピーカ装置１では、音響管３６の曲がりの径が相対的に大きくなり曲がりが相対的に緩くなるため、音響管３６の曲がり部分で発生するノイズを抑えることができる。
【０１１８】
スピーカ装置は、スピーカ筐体内の気体の共振周波数および共振周波数近傍の周波数帯域にスピーカユニットの周波数があるときのスピーカユニットの音圧を高めるように、スピーカユニットを制御するブースト制御部、をさらに備えてもよい。
【０１１９】
なお、回路基板５２（または、回路基板５２に搭載された回路）は、ブースト制御部の一例である。
【０１２０】
例えば、実施の形態１に示した例では、スピーカ装置１は、スピーカ筐体３１内の気体の共振周波数および共振周波数近傍の周波数帯域に上側ウーハスピーカユニット３２および下側ウーハスピーカユニット３３の周波数があるときの上側ウーハスピーカユニット３２および下側ウーハスピーカユニット３３の音圧を高めるように、上側ウーハスピーカユニット３２および下側ウーハスピーカユニット３３をブースト制御する回路を搭載した回路基板５２を備える。
【０１２１】
スピーカ装置１では、共振周波数および共振周波数近傍の周波数帯域に上側ウーハスピーカユニット３２および下側ウーハスピーカユニット３３の周波数があるときに、上側ウーハスピーカユニット３２の振動板３２ａおよび下側ウーハスピーカユニット３３の振動板３３ａの振幅が小さくなる。しかし、スピーカ装置１では、ブースト制御により、振動板３２ａおよび振動板３３ａの振幅が小さくなる周波数帯域の音圧が高められるので、ブーストによる音圧上昇後の音質の確保が可能である。
【０１２２】
スピーカ装置は、スピーカ筐体の外部の、第一スピーカユニットに対向する位置に設けられ、第一スピーカユニットから出力される音を所定の方向に拡散するディフューザ体、をさらに備えてもよい。
【０１２３】
なお、ディフューザ体２２、ディフューザ体４２は、それぞれがディフューザ体の一例である。
【０１２４】
例えば、実施の形態１に示した例では、スピーカ装置１は、スピーカ筐体３１の外部の、上側ウーハスピーカユニット３２に対向する位置に設けられ、上側ウーハスピーカユニット３２から出力される音を所定の方向に拡散するディフューザ体２２を備える。また、スピーカ装置１は、スピーカ筐体３１の外部の、下側ウーハスピーカユニット３３に対向する位置に設けられ、下側ウーハスピーカユニット３３から出力される音を所定の方向に拡散するディフューザ体４２を備える。
【０１２５】
このように構成されたスピーカ装置１では、上側ウーハスピーカユニット３２による再生音を所定の方向に広域に拡散することができ、下側ウーハスピーカユニット３３による再生音を所定の方向に広域に拡散することができる。したがって、スピーカ装置１は、上側ウーハスピーカユニット３２および下側ウーハスピーカユニット３３による再生音の指向範囲を拡げることができる。さらに、ディフューザ体２２またはディフューザ体４２は、上側ウーハスピーカユニット３２または下側ウーハスピーカユニット３３から放出される音を、自身に衝突させることによって方向を変えて拡散してもよい。
【０１２６】
スピーカ装置において、所定の方向は、第一壁部がスピーカ筐体の上部または下部に位置するようにスピーカ装置が設置されたとき、スピーカ装置を中心とした水平方向に３６０度にわたる方向であってもよい。
【０１２７】
例えば、実施の形態１に示した例では、スピーカ装置１において、ディフューザ体２２およびディフューザ体４２が音を拡散する方向（所定の方向）は、上壁３１ｅ（または、下壁３１ｆ）がスピーカ筐体３１の上部（または、下部）に位置するようにスピーカ装置１が設置されたとき（すなわち、水平面に平行な載置面にスピーカ装置１が載置されたとき）、スピーカ装置１を中心とした水平方向に３６０度にわたる方向である。
【０１２８】
このように構成されたスピーカ装置１では、上側ウーハスピーカユニット３２および下側ウーハスピーカユニット３３からの再生音は、スピーカ装置１の周囲全体にわたる広域な範囲に拡散される。
【０１２９】
本実施の形態におけるスピーカ装置１は、複数のツイータユニット１２と、複数のツイータユニット１２のそれぞれに取り付けられツイータユニット１２が放出する音の拡がりを所定の指向範囲内に制限する複数の指向性制御ホーン１３と、を備える。さらに、隣り合う指向性制御ホーン１３は、互いの指向範囲が実質的に重ならないように隣接して、配置される。このように構成されたスピーカ装置１では、複数のツイータユニット１２による再生音は、複数の指向性制御ホーン１３によって、複数の指向範囲にわたって拡散される。さらに、スピーカ装置１では、複数の互いに異なる向きの指向性制御ホーン１３のそれぞれから放出される音が互いに干渉することが抑えられる。また、各ツイータユニット１２による再生音は、指向性制御ホーン１３によって指向範囲がそれぞれ制限されるため、広い範囲にわたり、一定の音圧を維持した状態で放出される。したがって、複数の指向性制御ホーン１３から放出される音は、乱れが抑えられて広範囲に拡散される。これにより、ユーザは、ツイータユニット１２による再生音を、相対的に広い範囲の受聴位置で、変化の少ない音質で聴くことが可能になる。
【０１３０】
本実施の形態におけるスピーカ装置１では、各指向性制御ホーン１３は、略水平方向に、それぞれの指向範囲が互いに隣接するように配置される。このように構成されたスピーカ装置１は、複数の指向性制御ホーン１３によって、水平方向に広く音を拡散することができる。したがって、スピーカ装置１では、ツイータユニット１２による再生音の、水平方向での指向性の低減が可能になる。
【０１３１】
本実施の形態におけるスピーカ装置１は、ツイータ部１０と、ウーハ部６０と、を一体化して含む。そして、スピーカ装置１では、スピーカ筐体３１の上側ウーハスピーカユニット３２および下側ウーハスピーカユニット３３のそれぞれを、重低音領域の音質を向上するように構成し、指向性制御ホーン１３を有するツイータユニット１２を、高音領域の音質を向上するように構成することによって、重低音領域から高音領域にわたって、再生音の音質の向上が可能になる。
【０１３２】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用できる。また、上記実施の形態１および下記の他の実施の形態で説明する各構成要素を組み合わせて、新たな実施の形態とすることも可能である。
【０１３３】
そこで、以下、他の実施の形態を例示する。
【０１３４】
実施の形態１では、スピーカ装置１において、ウーハスピーカ部３０が、上側ウーハスピーカユニット３２および下側ウーハスピーカユニット３３の２つのウーハスピーカユニットを備える構成例を示した。しかし、本開示はこの構成例に限定されない。ウーハスピーカ部３０が備えるウーハスピーカユニットは、１つであってもよく、３つ以上であってもよい。
【０１３５】
実施の形態１では、スピーカ装置１において、ウーハスピーカ部３０が備える音響管３６を、円形断面を有しかつ滑らに湾曲して形成されたらせん状の管とする構成例を示した。しかし、本開示はこの構成例に限定されない。音響管３６は、所定の管の長さおよび所定の管の内部断面積を有するものであってよい。音響管３６の内部断面形状は、円形に限定されず、矩形等の多角形、または楕円、または長円形、等あってもよい。また、音響管３６の形状は、らせん状に限定されず、内部空間３４内に収めることができれば、いかなる形状であってもよい。音響管３６は、曲がりを伴う形状の場合、例えば、渦巻き形状であってもよく、内部空間３４内をＺ軸方向に往復する形状、Ｘ軸若しくはＹ軸方向に往復する形状、または、これらを組み合わせた形状であってもよい。
【０１３６】
実施の形態１では、スピーカ装置１において、ウーハスピーカ部３０が備える音響管３６の全てが、スピーカ筐体３１の内部空間３４内に含まれている構成例を説明した。しかし、本開示はこの構成例に限定されない。音響管３６は、その一部がスピーカ筐体３１の外部に延びていてもよい。
【０１３７】
実施の形態１では、スピーカ装置１において、ツイータ部１０が、ツイータユニット１２および指向性制御ホーン１３の組を３組備えた構成例を説明した。しかし、本開示はこの構成例に限定されない。ツイータ部１０が備えるツイータユニット１２および指向性制御ホーン１３の組は、２組であってもよく、４組であってもよい。例えば、ツイータ部１０が、ツイータユニット１２および指向性制御ホーン１３の組を４組備える構成例では、ツイータ部１０は、スピーカ装置１の周りに、水平方向の３６０度にわたって実質的に無指向な音の再生が可能になる。ツイータ部１０が、ツイータユニット１２および指向性制御ホーン１３の組を２組備える構成例では、指向性制御ホーン１３の指向角を変更することによって、広域にわたって無指向な音の再生が可能である。
【０１３８】
実施の形態１では、スピーカ装置１において、ツイータ部１０が、９０度の指向角を有する３つ指向性制御ホーン１３を備えた構成例を説明した。しかし、本開示はこの構成例に限定されない。指向性制御ホーン１３の指向角は、９０度以外であってもよい。実施の形態１ではツイータユニット１２の向きを互いに直角にして配置する構成例を示したが、そうでない場合には、指向性制御ホーン１３の指向角は９０度以外の角度であってもよい。また、複数の指向性制御ホーン１３の指向角が互いに異なっていてもよい。
【０１３９】
実施の形態１では、スピーカ装置１のツイータ部１０において、３つの指向性制御ホーン１３は、それぞれの中心軸１３ｇｃがＸＹ平面に沿うように配置される構成例を示した。しかし、本開示はこの構成例に限定されない。ツイータ部１０において、指向性制御ホーン１３の中心軸１３ｇｃはどのような平面に沿っていてもよい。
【０１４０】
実施の形態１では、スピーカ装置１において、ウーハ部６０の上にツイータ部１０が配置された構成例を示した。しかし、本開示は、この構成例に限定されない。ウーハ部６０とツイータ部１０との配置形態および配置順序は、いかなるものであってもよい。
【０１４１】
実施の形態１では、スピーカ装置１のウーハ部６０において、上側ウーハスピーカユニット３２および下側ウーハスピーカユニット３３が上下に配置された構成例を示した。しかし、本開示は、この構成例に限定されない。ウーハ部６０は、いかなる向きで配置されてもよい。
【０１４２】
実施の形態１では、スピーカ装置１が、ツイータ部１０とウーハ部６０とを一体化して含む構成例を示した。しかし、本開示は、この構成例に限定されない。スピーカ装置１は、ツイータ部１０およびウーハ部６０のうちの一方のみを含む構成であってもよい。
【０１４３】
実施の形態１では、スピーカ装置１において、回路基板５２（図１０参照）に搭載された回路が、上側ウーハスピーカユニット３２および下側ウーハスピーカユニット３３にブーストをかけて音圧を上昇させる制御（ブースト制御）を行う構成例を示した。しかし、本開示は、この構成例に限定されない。上側ウーハスピーカユニット３２および下側ウーハスピーカユニット３３のブースト制御は、スピーカ装置１の外部の機器によって行われてもよい。例えば、音楽プレーヤ１０１が、上側ウーハスピーカユニット３２および下側ウーハスピーカユニット３３をブースト制御してもよい。その場合の構成例を図１６に示す。
【０１４４】
図１６は、実施の形態１におけるスピーカ装置１が備えるウーハスピーカユニットのブースト制御に係る構成要素の一構成例を示すブロック図である。上側ウーハスピーカユニット３２および下側ウーハスピーカユニット３３のブースト制御が、音楽プレーヤ１０１によって行われる場合、図１６のブロック図に示されるように、音楽プレーヤ１０１は、ブースト制御を行うブースト回路１０１ａと、アンプ１０１ｂと、を備える。ブースト回路１０１ａは、音楽プレーヤ１０１が備えるＣＤプレーヤまたはラジオ等の音楽ソース１０１ｃ、または音楽プレーヤ１０１が通信する外部機器等の外部音楽ソース２０１、から受け取る信号にブーストをかける。アンプ１０１ｂは、ブーストがかけられた信号を増幅してスピーカ装置１の上側ウーハスピーカユニット３２および下側ウーハスピーカユニット３３に送信する。スピーカ装置１を備えた音響システム１００は、このように構成されてもよい。このとき、回路基板５２に搭載された回路は、上側ウーハスピーカユニット３２および下側ウーハスピーカユニット３３の制御機能を有していなくてもよい。回路基板５２は、音楽プレーヤ１０１からスピーカ装置１に接続された信号線（リード）と上側ウーハスピーカユニット３２および下側ウーハスピーカユニット３３との電気的な接続を中継する中継基板としての機能だけを有するように構成されてもよい。さらに、回路基板５２は、音楽プレーヤ１０１からスピーカ装置１に接続されたリードとツイータユニット１２との電気的な接続を中継してもよい。
【０１４５】
実施の形態１では、スピーカ装置１において、ツイータ部１０のツイータ回路基板１４（図１２参照）に搭載された回路が、ツイータユニット１２を制御する構成例を示した。しかし、本開示は、この構成例に限定されない。ツイータユニット１２の制御は、スピーカ装置１の外部の機器によって行われてもよい。例えば、音楽プレーヤ１０１が、ツイータユニット１２を制御してもよい。このとき、ツイータ回路基板１４は、音楽プレーヤ１０１からスピーカ装置１に接続されたリード、または、音楽プレーヤ１０１から台座筐体５１の回路基板５２を経由して延伸するリードと、ツイータユニット１２と、の電気的な接続を中継する中継基板としての機能だけを有するように構成されてもよい。
【０１４６】
なお、本実施の形態では、「スピーカユニットの周波数」といった表現を用いたが、これは、「スピーカユニットで再生中の音の周波数」または「スピーカユニットで再生される音の周波数」の意味である。
【０１４７】
以上のように、本開示における技術の例示として、実施の形態を説明した。そのために、添付図面および詳細な説明を提供した。
【０１４８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５０】
本開示は、スピーカ装置、およびスピーカ装置を備える機器に適用可能である。具体的には、本開示は、音楽プレーヤを備える音響システム、テレビ等のモニタを備える音響映像システム、パーソナルコンピュータ等の様々なスピーカ装置を備える機器に適用可能である。
【符号の説明】
【０１５１】
１    スピーカ装置
１ａ    側面（前面）
１ｂ，１ｃ    側面
１ｄ    側面（背面）
１ｅ    頂面
１ｆ    底面
２    外装ネット
３    天板
１０    ツイータ部
１１    ツイータフレーム
１１ａ    上縁部
１１ｂ    支柱部
１１ｃ    背面壁部
１２    ツイータユニット
１３    指向性制御ホーン
１３ａ，１３ｂ    側壁
１３ａａ，１３ｂａ    曲がり部
１３ｃ    上壁
１３ｄ    底壁
１３ｅ，１３ｆ    開口部
１４    ツイータ回路基板
２０    上側ディフューザ部
２１    上側フレーム
２１ａ    支柱部
２１ｂ    支持プレート部
２２，４２    ディフューザ体
２２ａ，４２ａ    拡散部
３０    ウーハスピーカ部
３１    スピーカ筐体
３１ａ，３１ｂ，３１ｃ，３１ｄ    側壁
３１ｅ    上壁
３１ｆ    下壁
３２    上側ウーハスピーカユニット
３２ａ，３３ａ    振動板
３３    下側ウーハスピーカユニット
３４    内部空間
３５    音響ポート
３５ａ    ポート板
３６    音響管
３６ａ    フランジ
３６ｂ    端部
３７    吸音材
４０    下側ディフューザ部
４１    下側フレーム
４１ａ    支柱部
４１ｂ    梁部
５０    台座部
５１    台座筐体
５２    回路基板
６０    ウーハ部
１００    音響システム
１０１    音楽プレーヤ
１０１ａ    ブースト回路
１１０    操作部
１０１ｂ    アンプ
１０１ｃ    音楽ソース
１２１    第一ツイータユニット
１２２    第二ツイータユニット
１２３    第三ツイータユニット
１３１    第一指向性制御ホーン
１３２    第二指向性制御ホーン
１３３    第三指向性制御ホーン
２０１    外部音楽ソース
Ａ    指向範囲
Ｃ    拡散基準点
Ｌ１，Ｌ２    線分
【手続補正２】
【補正対象書類名】特許請求の範囲
【補正対象項目名】全文
【補正方法】変更
【補正の内容】
【特許請求の範囲】
【請求項１】
スピーカ筐体と、
前記スピーカ筐体の第一壁部に設けられた第一スピーカユニットと、
前記スピーカ筐体の内部と外部とを連通する音響管と、
を備え、
前記音響管は、所定の長さを有し、前記スピーカ筐体内にらせん状に曲げられて収められる、
スピーカ装置。
【請求項２】
前記第一壁部に対向する前記スピーカ筐体の第二壁部に設けられた第二スピーカユニットをさらに備える、
請求項１に記載のスピーカ装置。
【請求項３】
前記音響管は、互いに反対向きに配置された前記第一スピーカユニットと前記第二スピーカユニットとの間に配置される、
請求項２に記載のスピーカ装置。
【請求項４】
前記第一スピーカユニットおよび前記第二スピーカユニットの少なくとも一方の少なくとも一部が、前記音響管のらせんの内側に配置される、
請求項３に記載のスピーカ装置。
【請求項５】
前記音響管は、前記第一壁部に対向する前記スピーカ筐体の第二壁部と前記第一壁部との間に形成された前記スピーカ筐体の側壁部に近接するように、らせん状に延伸する、
請求項１に記載のスピーカ装置。
【請求項６】
前記スピーカ筐体の外部の、前記第一スピーカユニットに対向する位置に設けられ、前記第一スピーカユニットから出力される音を所定の方向に拡散するディフューザ体をさらに備える、
請求項１に記載のスピーカ装置。
【請求項７】
前記所定の方向は、前記第一壁部が前記スピーカ筐体の上部または下部に位置するように前記スピーカ装置が設置されたとき、前記スピーカ装置を中心とした水平方向に３６０度にわたる方向である、
請求項６に記載のスピーカ装置。
【請求項８】
前記音響管の前記所定の長さは、前記スピーカ筐体内の気体の共振により前記音響管内の気体の速度が最大になるときの前記スピーカユニットの周波数が、所定の周波数よりも低くなるように、設定される、
請求項１に記載のスピーカ装置。
【請求項９】
前記スピーカ筐体内の気体の共振周波数および前記共振周波数近傍の周波数帯域に前記スピーカユニットの周波数があるときの前記スピーカユニットの音圧を高めるように、前記スピーカユニットを制御するブースト制御部をさらに備える、
請求項１に記載のスピーカ装置。
【手続補正３】
【補正対象書類名】図面
【補正対象項目名】全図
【補正方法】変更
【補正の内容】
【図１】
2017038016.tif 000019
【図２】
2017038016.tif 000020
【図３】
2017038016.tif 000021
【図４】
2017038016.tif 000022
【図５】
2017038016.tif 000023
【図６】
2017038016.tif 000024
【図７】
2017038016.tif 000025
【図８】
2017038016.tif 000026
【図９】
2017038016.tif 000027
【図１０】
2017038016.tif 000028
【図１１】
2017038016.tif 000029
【図１２】
2017038016.tif 000030
【図１３】
2017038016.tif 000031
【図１４】
2017038016.tif 000032
【図１５】
2017038016.tif 000033
【図１６】
2017038016.tif 000034
【国際調査報告】
2017038016.tif 000035
2017038016.tif 000036